(57)【要約】【課題】車両を駐車する際、車両の状況を基に駐車可能か否かを判断した情報を車両に送信し、車両が駐車違反に該当するか否かを通知する駐車承認システム、車載装置、駐車承認サーバ、駐車申請プログラム、及び駐車承認プログラムを提供する。【解決手段】車載装置２は、車両１の位置を特定する車両位置特定部２０３ａと、車両位置特定部２０３ａにより特定された車両位置特定情報と共に車両１の駐車を申請する駐車申請情報を駐車承認サーバ３に送信する第１駐車申請情報送信部２０３ｂと、車両１の駐車を承認する駐車承認情報を表示する第１駐車承認情報表示部２０３ｃとを備える。駐車承認サーバ３は、駐車申請情報に基づき駐車承認情報を車載装置２に判定する駐車承認判定部３０３ｄと、駐車承認情報を車載装置２に送信する第１駐車承認情報送信部３０３ｅを備える。【選択図】図３
2008070989.tif 000002
【特許請求の範囲】
【請求項１】
車両に搭載された車載装置と、前記車両の駐車を承認する駐車承認サーバとを有する駐車承認システムであって、
前記車載装置は、
前記車両の位置を特定する車両位置特定情報を得る車両位置特定部と、
前記車両位置特定情報と共に前記車両の駐車を申請する駐車申請情報を受け付け前記駐車承認サーバに送信する第１駐車申請情報送信部と、
前記車両の駐車を承認するか否かを示す駐車承認情報を前記車両の外部からみえるように表示する第１駐車承認情報表示部とを備え、
前記駐車承認サーバは、
前記車両位置特定情報及び前記駐車申請情報に基づき前記駐車承認情報を生成する第１駐車承認判定部と、
前記駐車承認情報を前記車載装置に送信する第１駐車承認情報送信部とを備えることを特徴とする駐車承認システム。
【請求項２】
前記車載装置は、
前記車両の情報及び前記車両の運転者の情報の少なくとも一方を特定する固有情報を受け付ける第１固有情報受付部と、
前記固有情報の受け付けに伴い前記固有情報を前記駐車承認サーバに送信する第１固有情報送信部と、
前記固有情報の判定結果である固有情報判定結果を表示する第１固有情報判定結果表示部とを備え、
前記駐車承認サーバは、
前記固有情報判定結果を生成する固有情報判定部と、
前記固有情報判定結果を前記車載装置に送信する第１固有情報判定結果送信部とを備えることを特徴とする請求項１記載の駐車承認システム。
【請求項３】
車両に搭載された車載装置と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両位置特定情報と共に前記車両の駐車を申請する駐車申請情報を受け付け前記駐車承認サーバに送信する第１駐車申請情報送信部と、
前記駐車承認情報を要求する第１要求情報に基づき前記車両の駐車を承認するか否かを示す駐車承認情報を前記駐車監視端末に送信する第２駐車承認情報送信部とを備え、
前記駐車承認サーバは、
前記車両位置特定情報及び前記駐車申請情報に基づき前記駐車承認情報を生成する第１駐車承認判定部と、
前記駐車承認情報を前記車載装置に送信する第１駐車承認情報送信部とを備え、
前記駐車監視端末は、
前記第１要求情報を前記車載装置に送信する第１要求情報送信部と、
前記駐車承認情報を表示する第２駐車承認情報表示部とを備えることを特徴とする駐車承認システム。
【請求項４】
前記車載装置は、
前記車両の情報及び前記車両の運転者の情報の少なくとも一方を特定する固有情報を受け付ける第１固有情報受付部と、
前記固有情報の受け付けに伴い前記固有情報を前記駐車承認サーバに送信する第１固有情報送信部と、
前記固有情報の判定結果である固有情報判定結果を要求する第２要求情報に基づき前記固有情報判定結果を前記駐車監視端末に送信する第２固有情報判定結果送信部とを備え、
前記駐車承認サーバは、
前記固有情報判定結果を生成する固有情報判定部と、
前記固有情報判定結果を前記車載装置に送信する第１固有情報判定結果送信部とを備え、
前記駐車監視端末は、
前記第２要求情報を前記車載装置に送信する第２要求情報送信部と、
前記固有情報判定結果を表示する第２固有情報判定結果表示部とを備えることを特徴とする請求項３記載の駐車承認システム。
【請求項５】
車両に搭載された車載装置と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両位置特定情報と共に前記車両の駐車を申請する駐車申請情報を受け付け前記駐車承認サーバに送信する第１駐車申請情報送信部と、
前記車両の情報及び前記車両の運転者の情報の少なくとも一方を特定する固有情報を受け付ける第１固有情報受付部と、
前記固有情報の受け付けに伴い前記固有情報を前記駐車承認サーバに送信する第１固有情報送信部とを備え、
前記駐車承認サーバは、
前記車両位置特定情報及び前記駐車申請情報に基づき前記車両の駐車を承認するか否かを示す駐車承認情報を生成する第１駐車承認判定部と、
前記固有情報を前記駐車承認情報に関連づけて駐車関連情報として記憶する第１駐車関連情報記憶部と、
前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、
前記駐車監視端末は、
前記第３要求情報を前記駐車承認サーバに送信する第３要求情報送信部と、
前記駐車承認情報を表示する第２駐車承認情報表示部とを備えることを特徴とする駐車承認システム。
【請求項６】
車両に搭載された車載装置と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両位置特定情報と共に前記車両の駐車を申請する駐車申請情報を受け付け前記駐車承認サーバに送信する第１駐車申請情報送信部と、
前記車両の情報及び前記車両の運転者の情報の少なくとも一方を特定する固有情報を受け付ける第１固有情報受付部と、
前記固有情報の受け付けに伴い前記固有情報を前記駐車承認サーバに送信する第１固有情報送信部とを備え、
前記駐車承認サーバは、
前記車両位置特定情報及び前記駐車申請情報に基づき前記車両の駐車を承認するか否かを示す駐車承認情報を生成する第１駐車承認判定部と、
前記固有情報に基づき当該固有情報の判定結果である固有情報判定結果を生成する固有情報判定部と、
前記固有情報を前記固有情報判定結果及び前記駐車承認情報に関連づけて駐車関連情報として記憶する第２駐車関連情報記憶部と、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、
前記駐車監視端末は、
前記第３要求情報を前記駐車承認サーバに送信する第３要求情報送信部と、
前記第４要求情報を前記駐車承認サーバに送信する第４要求情報送信部と、
前記駐車承認情報を表示する第２駐車承認情報表示部と、
前記固有情報判定結果を表示する第２固有情報判定結果表示部とを備えることを特徴とする駐車承認システム。
【請求項７】
前記車載装置は、
前記固有情報を要求する第５要求情報に基づき前記固有情報を前記駐車監視端末に送信する第２固有情報送信部を備え、
前記駐車監視端末は、
前記第５要求情報を前記車載装置に送信する第５要求情報送信部を備えることを特徴とする請求項５又は６記載の駐車承認システム。
【請求項８】
車両に搭載された車載装置と、前記車載装置に入力情報を送信可能な駐車申請端末と、前記車両の駐車を承認する駐車承認サーバとを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報を受け付ける第１固有情報受付部と、
受け付けた前記固有情報の整合を確認する第１固有情報確認部と、
受け付けた前記固有情報の整合の確認に応じて前記車両位置特定情報と共に前記車両の駐車を申請する駐車申請情報を前記駐車承認サーバに送信する第２駐車申請情報送信部と、
前記車両の駐車を承認するか否かを示す駐車承認情報を前記車両の外部からみえるように表示する第１駐車承認情報表示部とを備え、
前記駐車申請端末は、
前記駐車申請情報及び前記固有情報を受け付ける第２駐車申請情報受付部と、
前記駐車申請情報と共に前記固有情報を前記車載装置に送信する第３駐車申請情報送信部とを備え、
前記駐車承認サーバは、
前記車両位置特定情報及び前記駐車申請情報に基づき前記駐車承認情報を生成する第１駐車承認判定部と、
前記駐車承認情報を前記車載装置に送信する第１駐車承認情報送信部とを備えることを特徴とする駐車承認システム。
【請求項９】
前記車載装置は、
前記固有情報を前記駐車承認サーバに送信する第１固有情報送信部と、
前記固有情報の判定結果である固有情報判定結果を表示する第１固有情報判定結果表示部とを備え、
前記駐車承認サーバは、
前記固有情報に基づき前記固有情報判定結果を生成する固有情報判定部と、
前記固有情報判定結果を前記車載装置に送信する第１固有情報判定結果送信部とを備える事を特徴とする請求項８記載の駐車承認システム。
【請求項１０】
車両に搭載された車載装置と、前記車載装置に入力情報を送信可能な駐車申請端末と、前記車両の駐車を承認する駐車承認サーバとを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部と、
前記車両の駐車を承認するか否かを示す駐車承認情報を前記車両の外部からみえるように表示する第１駐車承認情報表示部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記駐車承認情報を生成する第２駐車承認判定部と、
前記駐車承認情報を前記車載装置に送信する第１駐車承認情報送信部とを備えることを特徴とする駐車承認システム。
【請求項１１】
前記車載装置は、
前記固有情報の判定結果である固有情報判定結果を表示する第１固有情報判定結果表示部を備え、
前記駐車承認サーバは、
前記固有情報に基づき前記固有情報判定結果を生成する固有情報判定部と、
前記固有情報判定結果を前記車載装置に送信する第１固有情報判定結果送信部とを備えることを特徴とする請求項１０記載の駐車承認システム。
【請求項１２】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
受け付けた前記固有情報の整合を確認する第１固有情報確認部と、
受け付けた前記固有情報の整合の確認に応じて前記車両位置特定情報と共に前記車両の駐車を申請する駐車申請情報を前記駐車承認サーバに送信する第２駐車申請情報送信部と、
前記駐車承認情報を要求する第１要求情報に基づき前記車両の駐車を承認するか否かを示す駐車承認情報を前記駐車監視端末に送信する第２駐車承認情報送信部とを備え、
前記駐車申請端末は、
前記駐車申請情報及び前記固有情報を受け付ける第２駐車申請情報受付部と、
前記駐車申請情報と共に前記固有情報を前記車載装置に送信する第３駐車申請情報送信部とを備え、
前記駐車承認サーバは、
前記車両位置特定情報及び前記駐車申請情報に基づき前記駐車承認情報を生成する第１駐車承認判定部と、
前記駐車承認情報を前記車載装置に送信する第１駐車承認情報送信部とを備え、
前記駐車監視端末は、
前記第１要求情報を前記車載装置に送信する第１要求情報送信部と、
前記駐車承認情報を表示する第２駐車承認情報表示部とを備えることを特徴とする駐車承認システム。
【請求項１３】
前記車載装置は、
前記固有情報を前記駐車承認サーバに送信する第１固有情報送信部と、
前記固有情報の判定結果である固有情報判定結果を要求する第２要求情報に基づき前記固有情報判定結果を前記駐車監視端末に送信する第２固有情報判定結果送信部とを備え、
前記駐車承認サーバは、
前記固有情報判定結果を生成する固有情報判定部と、
前記固有情報判定結果を前記車載装置に送信する第１固有情報判定結果送信部とを備え、
前記駐車監視端末は、
前記第２要求情報を前記車載装置に送信する第２要求情報送信部と、
前記固有情報判定結果を表示する第２固有情報判定結果表示部とを備えることを特徴とする請求項１２記載の駐車承認システム。
【請求項１４】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報を受け付ける第１固有情報受付部と、
前記固有情報を前記駐車承認サーバに送信する第１固有情報送信部と、
前記車両位置特定情報を前記駐車承認サーバに送信する車両位置特定情報送信部と、
前記駐車承認情報を要求する第１要求情報に基づき前記車両の駐車を承認するか否かを示す駐車承認情報を前記駐車監視端末に送信する第２駐車承認情報送信部とを備え、
前記駐車申請端末は、
前記駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記駐車承認情報を生成する第２駐車承認判定部と、
前記駐車承認情報を前記車載装置に送信する第１駐車承認情報送信部とを備え、
前記駐車監視端末は、
前記第１要求情報を前記車載装置に送信する第１要求情報送信部と、
前記駐車承認情報を表示する第２駐車承認情報表示部とを備えることを特徴とする駐車承認システム。
【請求項１５】
前記車載装置は、
前記固有情報の判定結果である固有情報判定結果を要求する第２要求情報に基づき前記固有情報判定結果を前記駐車監視端末に送信する第２固有情報判定結果送信部とを備え、
前記駐車承認サーバは、
前記固有情報判定結果を生成する固有情報判定部と、
前記固有情報判定結果を前記車載装置に送信する第１固有情報判定結果送信部とを備え、
前記駐車監視端末は、
前記第２要求情報を前記車載装置に送信する第２要求情報送信部と、
前記固有情報判定結果を表示する第２固有情報判定結果表示部とを備えることを特徴とする請求項１４記載の駐車承認システム。
【請求項１６】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
受け付けた前記固有情報の整合を確認する第１固有情報確認部と、
受け付けた前記固有情報の整合の確認に応じて前記固有情報及び前記車両位置特定情報と共に前記車両の駐車を申請する駐車申請情報を前記駐車承認サーバに送信する第５駐車申請情報送信部とを備え、
前記駐車申請端末は、
前記駐車申請情報及び前記固有情報の入力を受け付ける第２駐車申請情報受付部と、
前記駐車申請情報と共に前記固有情報を前記車載装置に送信する第３駐車申請情報送信部とを備え、
前記駐車承認サーバは、
前記車両位置特定情報及び前記駐車申請情報に基づき前記車両の駐車を承認するか否かを示す駐車承認情報を生成する第１駐車承認判定部と、
前記固有情報を前記駐車承認情報に関連づけて駐車関連情報として記憶する第１駐車関連情報記憶部と、
前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、
前記駐車監視端末は、
前記第３要求情報を前記駐車承認サーバに送信する第３要求情報送信部と、
前記駐車承認情報を表示する第２駐車承認情報表示部とを備えることを特徴とする駐車承認システム。
【請求項１７】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
受け付けた前記固有情報の整合を確認する第１固有情報確認部と、
受け付けた前記固有情報の整合の確認に応じて前記固有情報及び前記車両位置特定情報と共に前記車両の駐車を申請する駐車申請情報を前記駐車承認サーバに送信する第５駐車申請情報送信部と、
前記駐車申請端末は、
前記駐車申請情報及び前記固有情報の入力を受け付ける第２駐車申請情報受付部と、
前記駐車申請情報と共に前記固有情報を前記車載装置に送信する第３駐車申請情報送信部とを備え、
前記車両位置特定情報及び前記駐車申請情報に基づき前記車両の駐車を承認するか否かを示す駐車承認情報を生成する第１駐車承認判定部と、
前記固有情報に基づき当該固有情報の判定結果である固有情報判定結果を生成する固有情報判定部と、
前記固有情報を前記固有情報判定結果及び前記駐車承認情報に関連づけて駐車関連情報として記憶する第２駐車関連情報記憶部と、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、
前記駐車監視端末は、
前記第３要求情報を前記駐車承認サーバに送信する第３要求情報送信部と、
前記第４要求情報を前記駐車承認サーバに送信する第４要求情報送信部と、
前記駐車承認情報を表示する第２駐車承認情報表示部と、
前記固有情報判定結果を表示する第２固有情報判定結果表示部とを備えることを特徴とする駐車承認システム。
【請求項１８】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記車両の駐車を承認するか否かを示す駐車承認情報を生成する第２駐車承認判定部と、
前記固有情報を前記駐車承認情報に関連づけて駐車関連情報として記憶する第１駐車関連情報記憶部と、
前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、
前記駐車監視端末は、
前記第３要求情報を前記駐車承認サーバに送信する第３要求情報送信部と、
前記駐車承認情報を表示する第２駐車承認情報表示部とを備えることを特徴とする駐車承認システム。
【請求項１９】
車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記車両の駐車を承認するか否かを示す駐車承認情報を生成する第２駐車承認判定部と、
前記固有情報に基づき当該固有情報の判定結果である固有情報判定結果を生成する固有情報判定部と、
前記固有情報を前記固有情報判定結果及び前記駐車承認情報に関連づけて駐車関連情報として記憶する第２駐車関連情報記憶部と、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、
前記駐車監視端末は、
前記第３要求情報を前記駐車承認サーバに送信する第３要求情報送信部と、
前記第４要求情報を前記駐車承認サーバに送信する第４要求情報送信部と、
前記駐車承認情報を表示する第２駐車承認情報表示部と、
前記固有情報判定結果を表示する第２固有情報判定結果表示部とを備えることを特徴とする駐車承認システム。
【請求項２０】
前記車載装置は、
前記固有情報を要求する第５要求情報に基づき前記固有情報を前記駐車監視端末に送信する第２固有情報送信部を備え、
前記駐車監視端末は、
前記第５要求情報を前記車載装置に送信する第５要求情報送信部を備えることを特徴とする請求項１６乃至１９のいずれか１項記載の駐車承認システム。
【請求項２１】
前記車載装置は、
前記駐車承認情報を前記車両の外部からみえるように表示する第１駐車承認情報表示部を備えたことを特徴とする請求項３，４，１２，１３，１４、１５のいずれか１項記載の駐車承認システム。
【請求項２２】
前記駐車申請情報は、前記車両を駐車する期間を示す駐車期間情報を含むことを特徴とする請求項１乃至２１のいずれか１項記載の駐車承認システム。
【請求項２３】
前記車両位置特定部は、ＤＳＲＣ（Dedicated Short Range Communication：狭域通信）により前記車両の位置を特定することを特徴とする請求項１乃至２２のいずれか１項記載の駐車承認システム。
【請求項２４】
前記車両位置特定部は、ＧＰＳ（Global Positioning System：全地球測位システム）により前記車両の位置を特定することを特徴とする請求項１乃至２２のいずれか１項記載の駐車承認システム。
【請求項２５】
前記車両位置特定部は、可視光通信により前記車両の位置を特定することを特徴とする請求項１乃至２２のいずれか１項記載の駐車承認システム。
【請求項２６】
車両に搭載された車載装置であって、
前記車両の位置を特定する車両位置特定情報を得る車両位置特定部と、
前記車両位置特定情報と共に前記車両の駐車を受け付け申請する駐車申請情報を前記車両の駐車を承認する駐車承認サーバに送信する第１駐車申請情報送信部と、
前記車両の駐車を承認するか否かを示す駐車承認情報を前記車両の外部から見えるように表示する第１駐車承認情報表示部と
を備えることを特徴とする車載装置。
【請求項２７】
前記車両の情報及び前記車両の運転者の情報の少なくとも一方を特定する固有情報を受け付ける第１固有情報受付部と、
前記固有情報の受け付けに伴い前記固有情報を前記駐車承認サーバに送信する第１固有情報送信部と
を備えることを特徴とする請求項２６記載の車載装置。
【請求項２８】
前記固有情報の判定結果である固有情報判定結果を表示する第１固有情報判定結果表示部とを備えることを特徴とする請求項２７記載の車載装置。
【請求項２９】
車両に搭載された車載装置であって、
前記車両の位置を特定する車両位置特定情報を得る車両位置特定部と、
前記車両位置特定情報と共に前記車両の駐車を受け付け申請する駐車申請情報を前記車両の駐車を承認する駐車承認サーバに送信する第１駐車申請情報送信部と、
前記車両の駐車を承認するか否かを示す駐車承認情報を要求する第１要求情報に基づき前記駐車承認情報を前記車両の駐車の承認を監視する駐車監視端末に送信する第２駐車承認情報送信部と
を備えることを特徴とする車載装置。
【請求項３０】
前記固有情報判定結果を要求する第２要求情報に基づき前記固有情報判定結果を前記駐車監視端末に送信する第２固有情報判定結果送信部を備えることを特徴とする請求項２９記載の車載装置。
【請求項３１】
前記固有情報を要求する第５要求情報に基づき前記固有情報を前記駐車監視端末に送信する第２固有情報送信部を備えることを特徴とする請求項２７記載の車載装置。
【請求項３２】
車両に搭載された車載装置であって、
前記車両の情報及び前記車両の運転者の情報の少なくとも一方を特定する固有情報を受け付ける第１固有情報受付部と、
前記車両の位置を特定する車両位置特定情報を得る車両位置特定部と、
受け付けた前記固有情報の整合を確認する第１固有情報確認部と、
受け付けた前記固有情報の整合の確認に応じて前記車両位置特定情報と共に前記車両の駐車を申請する駐車申請情報を受け付け前記駐車承認サーバに送信する第２駐車申請情報送信部と、
前記車両の駐車を承認するか否かを示す駐車承認情報を前記車両の外部から見えるように表示する第１駐車承認情報表示部と
を備えることを特徴とする車載装置。
【請求項３３】
車両に搭載された車載装置であって、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部と、
前記車両の駐車を承認するか否かを示す駐車承認情報を前記車両の外部から見えるように表示する第１駐車承認情報表示部と
を備えることを特徴とする車載装置。
【請求項３４】
車両の駐車を承認する駐車承認サーバであって、
前記車両の位置を特定する車両位置特定情報及び前記車両の駐車を申請する駐車申請情報に基づき前記車両の駐車を承認するか否かを示す駐車承認情報を生成する第１駐車承認判定部と、
前記駐車承認情報を前記車両に搭載された車載装置に送信する第１駐車承認情報送信部と
を備えることを特徴とする駐車承認サーバ。
【請求項３５】
車両の駐車を承認する駐車承認サーバであって、
前記車両の位置を特定する車両位置特定情報及び前記車両の駐車を申請する駐車申請情報に基づき前記車両の駐車を承認するか否かを示す駐車承認情報を生成する第１駐車承認判定部と、
前記固有情報を前記駐車承認情報に関連づけて駐車関連情報として記憶する第１駐車関連情報記憶部と、
前記駐車承認情報を要求する第３要求情報に含まれる前記固有情報に基づき前記駐車関連情報を検索し前記駐車承認情報を読み出して前記駐車監視端末に送信する第１駐車関連情報検索部と
を備えることを特徴とする駐車承認サーバ。
【請求項３６】
前記車両の情報及び前記車両の運転者の情報の少なくとも一方を特定する固有情報の判定結果である固有情報判定結果を生成する固有情報判定部と、
前記固有情報判定結果を前記車載装置に送信する第１固有情報判定結果送信部と
を備えることを特徴とする請求項３４記載の駐車承認サーバ。
【請求項３７】
車両の駐車を承認する駐車承認サーバであって、
前記車両の位置を特定する車両位置特定情報及び前記車両の駐車を申請する駐車申請情報に基づき前記車両の駐車を承認するか否かを示す駐車承認情報を生成する第１駐車承認判定部と、
前記固有情報に基づき当該固有情報の判定結果である固有情報判定結果を生成する固有情報判定部と、
前記固有情報を前記固有情報判定結果及び前記駐車承認情報に関連づけて駐車関連情報として記憶する第２駐車関連情報記憶部と、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記車両の駐車の承認を監視する駐車監視端末に送信する第２駐車関連情報検索部と
を備えることを特徴とする駐車承認サーバ。
【請求項３８】
車両の駐車を承認する駐車承認サーバであって、
受け付けた前記固有情報の整合を確認する第２固有情報確認部と、
受け付けた前記固有情報の整合の確認に応じて前記車両の駐車を承認するか否かを示す駐車承認情報を生成する第２駐車承認判定部と、
前記駐車承認情報を前記車両に搭載された車載装置に送信する第１駐車承認情報送信部と
を備えることを特徴とする駐車承認サーバ。
【請求項３９】
車両の駐車を申請させる駐車申請プログラムであって、
コンピュータに、
前記車両の位置を特定する車両位置特定情報を得る車両位置特定ステップと、
前記車両位置特定情報と共に前記車両の駐車を申請する駐車申請情報を受け付け前記車両の駐車を承認する駐車承認サーバに送信する第１駐車申請情報送信ステップと、
前記車両の駐車を承認するか否かを示す駐車承認情報を前記車両の外部から見えるように表示する第１駐車承認情報表示ステップと
を実行させるための駐車申請プログラム。
【請求項４０】
コンピュータに、
さらに、前記車両の情報及び前記車両の運転者の情報の少なくとも一方を特定する固有情報を受け付ける第１固有情報受付ステップと、
前記固有情報の受け付けに伴い前記固有情報を前記駐車承認サーバに送信する第１固有情報送信ステップと
を実行させるための請求項３９記載の駐車申請プログラム。
【請求項４１】
コンピュータに、
さらに、前記固有情報の判定結果である固有情報判定結果を表示する第１固有情報判定結果表示ステップを実行させるための請求項４０記載の駐車申請プログラム。
【請求項４２】
車両の駐車を申請させる駐車申請プログラムであって、
コンピュータに、
前記車両の位置を特定する車両位置特定情報を得る車両位置特定ステップと、
前記車両位置特定情報と共に前記車両の駐車を受け付け申請する駐車申請情報を前記車両の駐車を承認する駐車承認サーバに送信する第１駐車申請情報送信ステップと、
前記車両の駐車を承認するか否かを示す
駐車承認情報を要求する第１要求情報に基づき前記駐車承認情報を前記車両の駐車の承認を監視する駐車監視端末に送信する第２駐車承認情報送信ステップを実行させるための駐車申請プログラム。
【請求項４３】
コンピュータに、
さらに、前記固有情報判定結果を要求する第２要求情報に基づき前記固有情報判定結果を前記駐車監視端末に送信する第２固有情報判定結果送信ステップを実行させるための請求項４２記載の駐車申請プログラム。
【請求項４４】
コンピュータに、
さらに、前記固有情報を要求する第５要求情報に基づき前記固有情報を前記駐車監視端末に送信する第２固有情報送信ステップを実行させるための請求項４０記載の駐車申請プログラム。
【請求項４５】
車両の駐車を申請させる駐車申請プログラムであって、
コンピュータに、
前記車両の情報及び前記車両の運転者の情報の少なくとも一方を特定する固有情報を受け付ける第１固有情報受付ステップと、
前記車両の位置を特定する車両位置特定情報を得る車両位置特定ステップと、
受け付けた前記固有情報の整合を確認する第１固有情報確認ステップと、
受け付けた前記固有情報の整合の確認に応じて前記車両位置特定情報と共に前記車両の駐車を申請する駐車申請情報を前記駐車承認サーバに送信する第２駐車申請情報送信ステップと、
前記車両の駐車を承認するか否かを示す駐車承認情報を前記車両の外部から見えるように表示する第１駐車承認情報表示ステップと
を実行させるための駐車申請プログラム。
【請求項４６】
車両の駐車を申請させる駐車申請プログラムであって、
コンピュータに、
前記車両の位置を特定する車両位置特定情報を得る車両位置特定ステップと、
前記車両の情報及び前記車両の運転者の情報の少なくとも一方を特定する固有情報の入力を受け付ける第１固有情報受付ステップと、
前記固有情報を前記駐車承認サーバに送信する第１固有情報送信ステップと、
前記車両位置特定情報を前記駐車承認サーバに送信する車両位置特定情報送信ステップと、
前記車両の駐車を承認するか否かを示す駐車承認情報を表示する第１駐車承認情報表示ステップと
を実行させるための駐車申請プログラム。
【請求項４７】
車両の駐車を承認させる駐車承認プログラムであって、
コンピュータに、
前記車両の位置を特定する車両位置特定情報及び前記車両の駐車を申請する駐車申請情報に基づき前記車両の駐車を承認するか否かを示す駐車承認情報を生成する第１駐車承認判定ステップと、
前記駐車承認情報を前記車両に搭載された車載装置に送信する第１駐車承認情報送信ステップと
を実行させるための駐車承認プログラム。
【請求項４８】
車両の駐車を承認させる駐車承認プログラムであって、
コンピュータに、
前記車両の位置を特定する車両位置特定情報及び前記車両の駐車を申請する駐車申請情報に基づき前記車両の駐車を承認するか否かを示す駐車承認情報を生成する第１駐車承認判定ステップと、
前記固有情報を前記駐車承認情報に関連づけて駐車関連情報として記憶する第１駐車関連情報記憶ステップと、
前記駐車承認情報を要求する第３要求情報に含まれる前記固有情報に基づき前記駐車関連情報を検索し前記駐車承認情報を読み出して前記駐車監視端末に送信する第１駐車関連情報検索ステップと
を実行させるための駐車承認プログラム。
【請求項４９】
コンピュータに、
さらに、前記車両の情報及び前記車両の運転者の情報の少なくとも一方を特定する固有情報の判定結果である固有情報判定結果を生成する固有情報判定ステップと、
前記固有情報判定結果を前記車載装置に送信する第１固有情報判定結果送信ステップと
を実行させるための請求項４７記載の駐車承認プログラム。
【請求項５０】
車両の駐車を承認させる駐車承認プログラムであって、
コンピュータに、
前記車両の位置を特定する車両位置特定情報及び前記車両の駐車を申請する駐車申請情報に基づき前記車両の駐車を承認するか否かを示す駐車承認情報を生成する第１駐車承認判定ステップと、
前記固有情報に基づき当該固有情報の判定結果である固有情報判定結果を生成する固有情報判定ステップと、
前記固有情報を前記固有情報判定結果及び前記駐車承認情報に関連づけて駐車関連情報として記憶する第２駐車関連情報記憶ステップと、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記車両の駐車の承認を監視する駐車監視端末に送信する第２駐車関連情報検索ステップと
を実行させるための駐車承認プログラム。
【請求項５１】
車両の駐車を承認させる駐車承認プログラムであって、
コンピュータに、
受け付けた前記固有情報の整合を確認する第２固有情報確認ステップと、
受け付けた前記固有情報の整合の確認に応じて前記車両の駐車を承認するか否かを示す駐車承認情報を生成する第２駐車承認判定ステップと、
前記駐車承認情報を前記車両に搭載された車載装置に送信する第１駐車承認情報送信ステップと
を実行させるための駐車承認プログラム。
【発明の詳細な説明】
【技術分野】
【０００１】
本発明は、駐車の承認を行う駐車承認システム、車載装置、駐車承認サーバ、駐車申請プログラム、及び駐車承認プログラムに関する。
【背景技術】
【０００２】
従来より、駐車禁止区域、特に駐車禁止区域である路上駐車による交通機関の乱れが問題となっている。
【０００３】
そこで、近年、警察官以外にも、民間の駐車監視員が巡回可能となり、駐車違反の取り締まりが強化されている。また、例えば、特許文献１には、路上駐車されている車両の管理者に車両の移動を促す情報を通知する情報処理装置が開示されている。
【０００４】
しかしながら、未熟な監視員であれば、停車車両に対しても駐車禁止と判断する恐れがある。また、駐車可能とされている特定の路上区画に駐車した車両に対しても、その旨の標識が認識できない際、駐車禁止と判断してしまう恐れがある。また、特定の時間内であれば、駐車を許可する路上区画もあるが、その判断は、煩雑であり、監視員に負担をかけるものであった。
【０００５】
一方、運転者は、道路標識の判断が困難な場所等にあっては、駐車可能であるか否かの判断が困難となる場合があった。つまり、駐車する者、駐車を取り締まる者の両者とも、駐車違反であるか否かを明確に判断することは困難であった。
【特許文献１】特開２００２−７４４３０号公報
【発明の開示】
【発明が解決しようとする課題】
【０００６】
そこで、本発明は、車両の位置情報を基に駐車可能か否かを判断した駐車承認情報を車両に送信する駐車承認システム、車載装置、駐車承認サーバ、駐車申請プログラム、及び駐車承認プログラムを提供することを目的とする。
【課題を解決するための手段】
【０００７】
本発明の一態様に係る第１の駐車承認システムは、車両に搭載された車載装置と、前記車両の駐車を承認する駐車承認サーバとを有する駐車承認システムであって、前記車載装置は、前記車両の位置を特定する車両位置特定情報を得る車両位置特定部と、前記車両位置特定情報と共に前記車両の駐車を申請する駐車申請情報を受け付け前記駐車承認サーバに送信する第１駐車申請情報送信部と、前記車両の駐車を承認するか否かを示す駐車承認情報を前記車両の外部からみえるように表示する第１駐車承認情報表示部とを備え、前記駐車承認サーバは、前記車両位置特定情報及び前記駐車申請情報に基づき前記駐車承認情報を生成する第１駐車承認判定部と、前記駐車承認情報を前記車載装置に送信する第１駐車承認情報送信部とを備えることを特徴とする。
【０００８】
また、本発明の一態様に係る第２の駐車承認システムは、車両に搭載された車載装置と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両位置特定情報と共に前記車両の駐車を申請する駐車申請情報を受け付け前記駐車承認サーバに送信する第１駐車申請情報送信部と、前記駐車承認情報を要求する第１要求情報に基づき前記車両の駐車を承認するか否かを示す駐車承認情報を前記駐車監視端末に送信する第２駐車承認情報送信部とを備え、前記駐車承認サーバは、前記車両位置特定情報及び前記駐車申請情報に基づき前記駐車承認情報を生成する第１駐車承認判定部と、前記駐車承認情報を前記車載装置に送信する第１駐車承認情報送信部とを備え、前記駐車監視端末は、前記第１要求情報を前記車載装置に送信する第１要求情報送信部と、前記駐車承認情報を表示する第２駐車承認情報表示部とを備えることを特徴とする。
【０００９】
また、本発明の一態様に係る第３の駐車承認システムは、車両に搭載された車載装置と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両位置特定情報と共に前記車両の駐車を申請する駐車申請情報を受け付け前記駐車承認サーバに送信する第１駐車申請情報送信部と、前記車両の情報及び前記車両の運転者の情報の少なくとも一方を特定する固有情報を受け付ける第１固有情報受付部と、前記固有情報の受け付けに伴い前記固有情報を前記駐車承認サーバに送信する第１固有情報送信部とを備え、前記駐車承認サーバは、前記車両位置特定情報及び前記駐車申請情報に基づき前記車両の駐車を承認するか否かを示す駐車承認情報を生成する第１駐車承認判定部と、前記固有情報を前記駐車承認情報に関連づけて駐車関連情報として記憶する第１駐車関連情報記憶部と、前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、前記駐車監視端末は、前記第３要求情報を前記駐車承認サーバに送信する第３要求情報送信部と、前記駐車承認情報を表示する第２駐車承認情報表示部とを備えることを特徴とする。
【００１０】
また、本発明の一態様に係る第４の駐車承認システムは、車両に搭載された車載装置と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両位置特定情報と共に前記車両の駐車を申請する駐車申請情報を受け付け前記駐車承認サーバに送信する第１駐車申請情報送信部と、前記車両の情報及び前記車両の運転者の情報の少なくとも一方を特定する固有情報を受け付ける第１固有情報受付部と、前記固有情報の受け付けに伴い前記固有情報を前記駐車承認サーバに送信する第１固有情報送信部とを備え、前記駐車承認サーバは、前記車両位置特定情報及び前記駐車申請情報に基づき前記車両の駐車を承認するか否かを示す駐車承認情報を生成する第１駐車承認判定部と、前記固有情報に基づき当該固有情報の判定結果である固有情報判定結果を生成する固有情報判定部と、前記固有情報を前記固有情報判定結果及び前記駐車承認情報に関連づけて駐車関連情報として記憶する第２駐車関連情報記憶部と、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、前記駐車監視端末は、前記第３要求情報を前記駐車承認サーバに送信する第３要求情報送信部と、前記第４要求情報を前記駐車承認サーバに送信する第４要求情報送信部と、前記駐車承認情報を表示する第２駐車承認情報表示部と、前記固有情報判定結果を表示する第２固有情報判定結果表示部とを備えることを特徴とする。
【００１１】
また、本発明の一態様に係る第５の駐車承認システムは、車両に搭載された車載装置と、前記車載装置に入力情報を送信可能な駐車申請端末と、前記車両の駐車を承認する駐車承認サーバとを有する駐車承認システムであって、前記車載装置は、前記車両の位置を特定する車両位置特定情報を得る車両位置特定部と、前記車両の情報及び前記車両の運転者の情報の少なくとも一方を特定する固有情報を受け付ける第１固有情報受付部と、受け付けた前記固有情報の整合を確認する第１固有情報確認部と、受け付けた前記固有情報の整合の確認に応じて前記車両位置特定情報と共に前記車両の駐車を申請する駐車申請情報を前記駐車承認サーバに送信する第２駐車申請情報送信部と、前記車両の駐車を承認するか否かを示す駐車承認情報を前記車両の外部からみえるように表示する第１駐車承認情報表示部とを備え、前記駐車申請端末は、前記駐車申請情報及び前記固有情報を受け付ける第２駐車申請情報受付部と、前記駐車申請情報と共に前記固有情報を前記車載装置に送信する第３駐車申請情報送信部とを備え、前記駐車承認サーバは、前記車両位置特定情報及び前記駐車申請情報に基づき前記駐車承認情報を生成する第１駐車承認判定部と、前記駐車承認情報を前記車載装置に送信する第１駐車承認情報送信部とを備えることを特徴とする。
【００１２】
また、本発明の一態様に係る第６の駐車承認システムは、車両に搭載された車載装置と、前記車載装置に入力情報を送信可能な駐車申請端末と、前記車両の駐車を承認する駐車承認サーバとを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部と、前記車両の駐車を承認するか否かを示す駐車承認情報を前記車両の外部からみえるように表示する第１駐車承認情報表示部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記駐車承認情報を生成する第２駐車承認判定部と、前記駐車承認情報を前記車載装置に送信する第１駐車承認情報送信部とを備えることを特徴とする。
【００１３】
また、本発明の一態様に係る第７の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、受け付けた前記固有情報の整合を確認する第１固有情報確認部と、受け付けた前記固有情報の整合の確認に応じて前記車両位置特定情報と共に前記車両の駐車を申請する駐車申請情報を前記駐車承認サーバに送信する第２駐車申請情報送信部と、前記駐車承認情報を要求する第１要求情報に基づき前記車両の駐車を承認するか否かを示す駐車承認情報を前記駐車監視端末に送信する第２駐車承認情報送信部とを備え、前記駐車申請端末は、前記駐車申請情報及び前記固有情報を受け付ける第２駐車申請情報受付部と、前記駐車申請情報と共に前記固有情報を前記車載装置に送信する第３駐車申請情報送信部とを備え、前記駐車承認サーバは、前記車両位置特定情報及び前記駐車申請情報に基づき前記駐車承認情報を生成する第１駐車承認判定部と、前記駐車承認情報を前記車載装置に送信する第１駐車承認情報送信部とを備え、前記駐車監視端末は、前記第１要求情報を前記車載装置に送信する第１要求情報送信部と、前記駐車承認情報を表示する第２駐車承認情報表示部とを備えることを特徴とする。
【００１４】
また、本発明の一態様に係る第８の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報を受け付ける第１固有情報受付部と、前記固有情報を前記駐車承認サーバに送信する第１固有情報送信部と、前記車両位置特定情報を前記駐車承認サーバに送信する車両位置特定情報送信部と、前記駐車承認情報を要求する第１要求情報に基づき前記車両の駐車を承認するか否かを示す駐車承認情報を前記駐車監視端末に送信する第２駐車承認情報送信部とを備え、前記駐車申請端末は、前記駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記駐車承認情報を生成する第２駐車承認判定部と、前記駐車承認情報を前記車載装置に送信する第１駐車承認情報送信部とを備え、前記駐車監視端末は、前記第１要求情報を前記車載装置に送信する第１要求情報送信部と、前記駐車承認情報を表示する第２駐車承認情報表示部とを備えることを特徴とする。
【００１５】
また、本発明の一態様に係る第９の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、受け付けた前記固有情報の整合を確認する第１固有情報確認部と、受け付けた前記固有情報の整合の確認に応じて前記固有情報及び前記車両位置特定情報と共に前記車両の駐車を申請する駐車申請情報を前記駐車承認サーバに送信する第５駐車申請情報送信部とを備え、前記駐車申請端末は、前記駐車申請情報及び前記固有情報の入力を受け付ける第２駐車申請情報受付部と、前記駐車申請情報と共に前記固有情報を前記車載装置に送信する第３駐車申請情報送信部とを備え、前記駐車承認サーバは、前記車両位置特定情報及び前記駐車申請情報に基づき前記車両の駐車を承認するか否かを示す駐車承認情報を生成する第１駐車承認判定部と、前記固有情報を前記駐車承認情報に関連づけて駐車関連情報として記憶する第１駐車関連情報記憶部と、前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、前記駐車監視端末は、前記第３要求情報を前記駐車承認サーバに送信する第３要求情報送信部と、前記駐車承認情報を表示する第２駐車承認情報表示部とを備えることを特徴とする。
【００１６】
また、本発明の一態様に係る第１０の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、受け付けた前記固有情報の整合を確認する第１固有情報確認部と、受け付けた前記固有情報の整合の確認に応じて前記固有情報及び前記車両位置特定情報と共に前記車両の駐車を申請する駐車申請情報を前記駐車承認サーバに送信する第５駐車申請情報送信部と、前記固有情報を前記駐車承認サーバに送信する第１固有情報送信部とを備え、前記駐車申請端末は、前記駐車申請情報及び前記固有情報の入力を受け付ける第２駐車申請情報受付部と、前記駐車申請情報と共に前記固有情報を前記車載装置に送信する第３駐車申請情報送信部とを備え、前記駐車承認サーバは、前記車両位置特定情報及び前記駐車申請情報に基づき前記車両の駐車を承認するか否かを示す駐車承認情報を生成する第１駐車承認判定部と、前記固有情報に基づき当該固有情報の判定結果である固有情報判定結果を生成する固有情報判定部と、前記固有情報を前記固有情報判定結果及び前記駐車承認情報に関連づけて駐車関連情報として記憶する第２駐車関連情報記憶部と、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、前記駐車監視端末は、前記第３要求情報を前記駐車承認サーバに送信する第３要求情報送信部と、前記第４要求情報を前記駐車承認サーバに送信する第４要求情報送信部と、前記駐車承認情報を表示する第２駐車承認情報表示部と、前記固有情報判定結果を表示する第２固有情報判定結果表示部とを備えることを特徴とする。
【００１７】
また、本発明の一態様に係る第１１の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記車両の駐車を承認するか否かを示す駐車承認情報を生成する第２駐車承認判定部と、前記固有情報を前記駐車承認情報に関連づけて駐車関連情報として記憶する第１駐車関連情報記憶部と、前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、前記駐車監視端末は、前記第３要求情報を前記駐車承認サーバに送信する第３要求情報送信部と、前記駐車承認情報を表示する第２駐車承認情報表示部とを備えることを特徴とする。
【００１８】
また、本発明の一態様に係る第１２の駐車承認システムは、車両に搭載された車載装置と、前記車載装置に入力情報を送信可能な駐車申請端末と、前記車両の駐車を承認する駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記車両の駐車を承認するか否かを示す駐車承認情報を生成する第２駐車承認判定部と、前記固有情報に基づき当該固有情報の判定結果である固有情報判定結果を生成する固有情報判定部と、前記固有情報を前記固有情報判定結果及び前記駐車承認情報に関連づけて駐車関連情報として記憶する第２駐車関連情報記憶部と、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、前記駐車監視端末は、前記第３要求情報を前記駐車承認サーバに送信する第３要求情報送信部と、前記第４要求情報を前記駐車承認サーバに送信する第４要求情報送信部と、前記駐車承認情報を表示する第２駐車承認情報表示部と、前記固有情報判定結果を表示する第２固有情報判定結果表示部とを備えることを特徴とする。
【００１９】
本発明の一態様に係る第１の車載装置は、車両に搭載された車載装置であって、前記車両の位置を特定する車両位置特定情報を得る車両位置特定部と、前記車両位置特定情報と共に前記車両の駐車を受け付け申請する駐車申請情報を前記車両の駐車を承認する駐車承認サーバに送信する第１駐車申請情報送信部と、前記車両の駐車を承認するか否かを示す駐車承認情報を前記車両の外部から見えるように表示する第１駐車承認情報表示部とを備えることを特徴とする。
【００２０】
また、本発明の一態様に係る第２の車載装置は、車両に搭載された車載装置であって、前記車両の位置を特定する車両位置特定情報を得る車両位置特定部と、前記車両位置特定情報と共に前記車両の駐車を受け付け申請する駐車申請情報を前記車両の駐車を承認する駐車承認サーバに送信する第１駐車申請情報送信部と、前記車両の駐車を承認するか否かを示す駐車承認情報を要求する第１要求情報に基づき前記駐車承認情報を前記車両の駐車の承認を監視する駐車監視端末に送信する第２駐車承認情報送信部とを備えることを特徴とする。
【００２１】
また、本発明の一態様に係る第３の車載装置は、車両に搭載された車載装置であって、前記車両の情報及び前記車両の運転者の情報の少なくとも一方を特定する固有情報を受け付ける第１固有情報受付部と、前記車両の位置を特定する車両位置特定情報を得る車両位置特定部と、受け付けた前記固有情報の整合を確認する第１固有情報確認部と、受け付けた前記固有情報の整合の確認に応じて前記車両位置特定情報と共に前記車両の駐車を申請する駐車申請情報を受け付け前記駐車承認サーバに送信する第２駐車申請情報送信部と、前記車両の駐車を承認するか否かを示す駐車承認情報を前記車両の外部から見えるように表示する第１駐車承認情報表示部とを備えることを特徴とする。
【００２２】
また、本発明の一態様に係る第４の車載装置は、車両に搭載された車載装置であって、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部と、前記車両の駐車を承認するか否かを示す駐車承認情報を前記車両の外部から見えるように表示する第１駐車承認情報表示部とを備えることを特徴とする。
【００２３】
本発明の一態様に係る第１の駐車承認サーバは、車両の駐車を承認する駐車承認サーバであって、前記車両の位置を特定する車両位置特定情報及び前記車両の駐車を申請する駐車申請情報に基づき前記車両の駐車を承認するか否かを示す駐車承認情報を生成する第１駐車承認判定部と、前記駐車承認情報を前記車両に搭載された車載装置に送信する第１駐車承認情報送信部とを備えることを特徴とする。
【００２４】
また、本発明の一態様に係る第２の駐車承認サーバは、車両の駐車を承認する駐車承認サーバであって、前記車両の位置を特定する車両位置特定情報及び前記車両の駐車を申請する駐車申請情報に基づき前記車両の駐車を承認するか否かを示す駐車承認情報を生成する第１駐車承認判定部と、前記固有情報を前記駐車承認情報に関連づけて駐車関連情報として記憶する第１駐車関連情報記憶部と、前記駐車承認情報を要求する第３要求情報に含まれる前記固有情報に基づき前記駐車関連情報を検索し前記駐車承認情報を読み出して前記駐車監視端末に送信する第１駐車関連情報検索部とを備えることを特徴とする。
【００２５】
また、本発明の一態様に係る第３の駐車承認サーバは、車両の駐車を承認する駐車承認サーバであって、前記車両の位置を特定する車両位置特定情報及び前記車両の駐車を申請する駐車申請情報に基づき前記車両の駐車を承認するか否かを示す駐車承認情報を生成する第１駐車承認判定部と、前記固有情報に基づき当該固有情報の判定結果である固有情報判定結果を生成する固有情報判定部と、前記固有情報を前記固有情報判定結果及び前記駐車承認情報に関連づけて駐車関連情報として記憶する第２駐車関連情報記憶部と、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記車両の駐車の承認を監視する駐車監視端末に送信する第２駐車関連情報検索部とを備えることを特徴とする。
【００２６】
また、本発明の一態様に係る第４の駐車承認サーバは、車両の駐車を承認する駐車承認サーバであって、受け付けた前記固有情報の整合を確認する第２固有情報確認部と、受け付けた前記固有情報の整合の確認に応じて前記車両の駐車を承認するか否かを示す駐車承認情報を生成する第２駐車承認判定部と、前記駐車承認情報を前記車両に搭載された車載装置に送信する第１駐車承認情報送信部とを備えることを特徴とする。
【００２７】
本発明の一態様に係る第１の駐車申請プログラムは、車両の駐車を申請させる駐車申請プログラムであって、コンピュータに、前記車両の位置を特定する車両位置特定情報を得る車両位置特定ステップと、前記車両位置特定情報と共に前記車両の駐車を申請する駐車申請情報を受け付け前記車両の駐車を承認する駐車承認サーバに送信する第１駐車申請情報送信ステップと、前記車両の駐車を承認するか否かを示す駐車承認情報を前記車両の外部から見えるように表示する第１駐車承認情報表示ステップとを実行させるためのものである。
【００２８】
また、本発明の一態様に係る第２の駐車申請プログラムは、車両の駐車を申請させる駐車申請プログラムであって、コンピュータに、前記車両の位置を特定する車両位置特定情報を得る車両位置特定ステップと、前記車両位置特定情報と共に前記車両の駐車を受け付け申請する駐車申請情報を前記車両の駐車を承認する駐車承認サーバに送信する第１駐車申請情報送信ステップと、前記車両の駐車を承認するか否かを示す駐車承認情報を要求する第１要求情報に基づき前記駐車承認情報を前記車両の駐車の承認を監視する駐車監視端末に送信する第２駐車承認情報送信ステップを実行させるためのものである。
【００２９】
また、本発明の一態様に係る第３の駐車申請プログラムは、車両の駐車を申請させる駐車申請プログラムであって、コンピュータに、前記車両の情報及び前記車両の運転者の情報の少なくとも一方を特定する固有情報を受け付ける第１固有情報受付ステップと、前記車両の位置を特定する車両位置特定情報を得る車両位置特定ステップと、受け付けた前記固有情報の整合を確認する第１固有情報確認ステップと、受け付けた前記固有情報の整合の確認に応じて前記車両位置特定情報と共に前記車両の駐車を申請する駐車申請情報を前記駐車承認サーバに送信する第２駐車申請情報送信ステップと、前記車両の駐車を承認するか否かを示す駐車承認情報を前記車両の外部から見えるように表示する第１駐車承認情報表示ステップとを実行させるためのものである。
【００３０】
また、本発明の一態様に係る第４の駐車申請プログラムは、車両の駐車を申請させる駐車申請プログラムであって、コンピュータに、前記車両の位置を特定する車両位置特定情報を得る車両位置特定ステップと、前記車両の情報及び前記車両の運転者の情報の少なくとも一方を特定する固有情報の入力を受け付ける第１固有情報受付ステップと、前記固有情報を前記駐車承認サーバに送信する第１固有情報送信ステップと、前記車両位置特定情報を前記駐車承認サーバに送信する車両位置特定情報送信ステップと、前記車両の駐車を承認するか否かを示す駐車承認情報を表示する第１駐車承認情報表示ステップとを実行させるためのものである。
【００３１】
本発明の一態様に係る第１の駐車承認プログラムは、車両の駐車を承認させる駐車承認プログラムであって、コンピュータに、前記車両の位置を特定する車両位置特定情報及び前記車両の駐車を申請する駐車申請情報に基づき前記車両の駐車を承認するか否かを示す駐車承認情報を生成する第１駐車承認判定ステップと、前記駐車承認情報を前記車両に搭載された車載装置に送信する第１駐車承認情報送信ステップとを実行させるためのものである。
【００３２】
また、本発明の一態様に係る第２の駐車承認プログラムは、車両の駐車を承認させる駐車承認プログラムであって、コンピュータに、前記車両の位置を特定する車両位置特定情報及び前記車両の駐車を申請する駐車申請情報に基づき前記車両の駐車を承認するか否かを示す駐車承認情報を生成する第１駐車承認判定ステップと、前記固有情報を前記駐車承認情報に関連づけて駐車関連情報として記憶する第１駐車関連情報記憶ステップと、前記駐車承認情報を要求する第３要求情報に含まれる前記固有情報に基づき前記駐車関連情報を検索し前記駐車承認情報を読み出して前記駐車監視端末に送信する第１駐車関連情報検索ステップとを実行させるためのものである。
【００３３】
また、本発明の一態様に係る第３の駐車承認プログラムは、車両の駐車を承認させる駐車承認プログラムであって、コンピュータに、前記車両の位置を特定する車両位置特定情報及び前記車両の駐車を申請する駐車申請情報に基づき前記車両の駐車を承認するか否かを示す駐車承認情報を生成する第１駐車承認判定ステップと、前記固有情報に基づき当該固有情報の判定結果である固有情報判定結果を生成する固有情報判定ステップと、前記固有情報を前記固有情報判定結果及び前記駐車承認情報に関連づけて駐車関連情報として記憶する第２駐車関連情報記憶ステップと、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記車両の駐車の承認を監視する駐車監視端末に送信する第２駐車関連情報検索ステップとを実行させるためのものである。
【００３４】
また、本発明の一態様に係る第４の駐車承認プログラムは、車両の駐車を承認させる駐車承認プログラムであって、コンピュータに、受け付けた前記固有情報の整合を確認する第２固有情報確認ステップと、受け付けた前記固有情報の整合の確認に応じて前記車両の駐車を承認するか否かを示す駐車承認情報を生成する第２駐車承認判定ステップと、前記駐車承認情報を前記車両に搭載された車載装置に送信する第１駐車承認情報送信ステップとを実行させるためのものである。
【発明の効果】
【００３５】
この発明によれば、車両の位置情報を基に駐車可能か否かを判断した駐車承認情報を車両に送信する駐車承認システム、車載装置、駐車承認サーバ、駐車申請プログラム、及び駐車承認プログラムを提供することが可能となる。
【発明を実施するための最良の形態】
【００３６】
以下、図面を参照して、本発明の一実施形態に係る駐車承認システムについて説明する。
【００３７】
［第１実施形態］
図１を参照して本発明の第１実施形態に係る駐車承認システムの概要を説明する。
【００３８】
図１に示すように、第１実施形態の駐車承認システムは、車両１に搭載された車載装置２と、その車載装置２から送信された情報に基づき車両１の駐車を承認する駐車承認サーバ３とから構成されている。
【００３９】
車載装置２は、ＤＳＲＣ（Dedicated Short Range Communication：狭域通信）を可能なＤＳＲＣ通信装置４ａとの送受信を行い、車両１の現在位置を特定する。また、車載装置２は、ＤＳＲＣ通信装置４ａを介して得た車両１の現在位置を中継器４ｂに送信する。
【００４０】
なお、中継器４ｂは、例えばインターネット等の通信回線ネットワーク４ｃを介して、駐車承認サーバ３と情報の送受信が可能である。ＤＳＲＣ通信装置４ａは、例えば通路の路肩に複数配置されている。ＤＳＲＣ通信は、その通信の狭域性から位置特定手段に適している。
【００４１】
駐車承認サーバ３は、車載装置２から送信された車両１の現在の状況を判断して、通信ネットワーク４ｃあるいはＤＳＲＣ通信装置４ａを介して車両１へ駐車可能か否かを示す駐車承認情報を送信する。
【００４２】
次に、図２を参照して、車載装置２の構成を説明する。
【００４３】
車載装置２は、図２に示すように、ＣＰＵ２０１を備えている。ＣＰＵ２０１には、バス２０２を介して記憶部２０３、入力部２０４、読み取り部２０５、通信部２０６、表示部２０７、Ｉ／Ｆ２０８が設けられている。記憶部２０３は、例えば、ＲＯＭやＲＡＭ、ＨＤＤなどであり、プログラム等を格納している。読み取り部２０５は、ＣＤ−ＲＯＭやＤＶＤ−ＲＯＭなどの記憶媒体から所定データ（地図情報や、道案内情報など）を読み取るものである。通信部２０６は、ＤＳＲＣ通信装置４ａ及び中継器４ｂとの通信を行うものである。また、通信部２０６は、ＤＳＲＣ通信の他に、例えばBluetooth(登録商標)、赤外線通信、ＧＰＳ（Global Positioning System：全地球測位システム）、可視光通信にも対応している。
【００４４】
駐車承認サーバ３は、図２に示す車載装置２と同様の構成を有している。
【００４５】
図３は、車載装置２及び駐車承認サーバ３が有するプログラムによって実現する第１実施形態の駐車承認システムの機能ブロック図である。
【００４６】
車載装置２は、図３に示すように、車両位置特定部２０３ａ、第１駐車申請情報送信部２０３ｂ、第１駐車承認情報表示部２０３ｃを有している。
【００４７】
車両位置特定部２０３ａは、通信部２０６により受信された情報に基づき車両１の位置を特定する。第１駐車申請情報送信部２０３ｂは、車両位置特定部２０３ａにより特定された車両位置特定情報と共に車両１の駐車を申請する駐車申請情報を駐車承認サーバ３に送信する。なお、駐車申請情報に、入力部２０４より入力した車両１を駐車する期間（時間、日にち）を示す駐車期間情報を含めて送信する構成としてもよい。第１駐車承認情報表示部２０３ｃは、駐車承認サーバ３より送信された車両１の駐車を承認する駐車承認情報を表示部２０７に表示させる。
【００４８】
駐車承認サーバ３は、図３に示すように、地図データベース（以下、地図ＤＢ）３０３ａ、区画規制データベース（以下、区画規制ＤＢ）３０３ｂ、時間規制データベース（以下、時間規制ＤＢ）３０３ｃ、第１駐車承認判定部３０３ｄ、第１駐車承認情報送信部３０３ｅを有している。
【００４９】
地図ＤＢ３０３ａには、地図情報が格納されている。区画規制ＤＢ３０３ｂには、駐車を規制した区画を示す区画規制情報が格納されている。時間規制ＤＢ３０３ｃには、駐車を規制した時間帯及び日にちを示す時間規制情報が格納されている。第１駐車承認判定部３０３ｄは、地図ＤＢ３０３ａ、区画規制ＤＢ３０３ｂ、時間規制ＤＢ３０３ｃ及び駐車申請情報に基づき駐車を承認するか否かを示す駐車承認情報を生成する。第１駐車承認情報送信部３０３ｅは、駐車承認情報を車載装置２に送信する。
【００５０】
次に、図４を参照して、第１実施形態の駐車承認システムによる動作を説明する。図４は、第１実施形態の駐車承認システムによる動作を示すフローチャートである。
【００５１】
図４に示すように、まず、車載装置２にて、車両位置特定部２０３ａは、ＤＳＲＣ装置４ａに基づき車両１の現在位置を特定する（ステップＳ１０１）。次に、第１駐車申請情報送信部２０３ｂは、駐車申請情報の入力を受け付ける（ステップＳ１０２）。つづいて、第１駐車申請情報送信部２０３ｂは、駐車承認サーバ３に、車両位置特定情報と共に車両１の駐車を申請する駐車申請情報を送信する（ステップＳ１０３）。なお、この際、駐車申請情報に車両１を駐車する期間（時間、日にち）を示す駐車期間情報を含めて送信してもよい。
【００５２】
次に、駐車承認サーバ３にて、第１駐車承認判定部３０３ｄは、地図ＤＢ３０３ａ、駐車規制ＤＢ３０３ｂ、時間規制ＤＢ３０３ｃより地図情報、区画規制情報、時間規制情報を読み出す（ステップＳ１０４）。つづいて、第１駐車承認判定部３０３ｄは、車両位置特定情報、地図情報、区画規制情報、及び時間規制情報に基づき、車両１が駐車可能であるか否かを示す駐車承認情報を生成する（ステップＳ１０５）。そして、第１駐車承認情報送信部３０３ｅは、駐車承認情報を車載装置２に送信する（ステップＳ１０６）。
【００５３】
次に、車載装置２にて、第１駐車承認情報表示部２０３ｃは、駐車承認情報を受信して、表示部２０７に車両１を駐車可能であるか否かを表示させる（ステップＳ１０７）。例えば、表示部２０７には「駐車承認済み」、「駐車違反」等の文字が表示される。
【００５４】
上記のように第１実施形態に係る駐車承認システムによれば、車載装置２は、車両１の位置情報に基づき、駐車承認サーバ３により駐車可能であるか否かを判断した駐車承認情報を得ることができる。したがって、駐車する者に対して、車両が駐車違反に該当するか否かを明確に通知することができる。また、表示部２０７を車両の外部からわかるように設置すれば、駐車監視員等が当該車両の駐車が承認されているか判断できる。
【００５５】
［第２実施形態］
図５及び図６を参照して本発明の第２実施形態に係る駐車承認システムを説明する。なお、第１実施形態と同一の構成については、同一符号を付し、その説明を省略する。
【００５６】
第２実施形態の駐車承認システムは、第１実施形態と同様に、車載装置２ａ、駐車承認サーバ３ａを用いる。
【００５７】
車載装置２ａは、図５に示すように、第１実施形態の構成に加え、さらに、第１固有情報受付部２０３ｄ、第１固有情報送信部２０３ｅ、第１固有情報判定結果表示部２０３ｆを有する。
【００５８】
第１固有情報受付部２０３ｄは、車両１の情報及び車両１の運転者の情報の少なくともいずれか一方を特定する固有情報の入力を入力部２０４等から受け付ける。この場合、入力部２０４等は、キーボード等の他、ＥＴＣカードやその他ＩＤカードを読み取るカードリーダとすることができる。第１固有情報送信部２０３ｅは、固有情報を駐車承認サーバ３ａに送信する。第１固有情報判定結果表示部２０３ｆは、固有情報の判定結果（以下、固有情報判定結果）を表示する。
【００５９】
駐車承認サーバ３ａは、図５に示すように、第１実施形態の構成に加え、さらに、固有情報データベース（以下、固有情報ＤＢ）３０３ｆ、固有情報判定部３０３ｇ、第１固有情報判定結果送信部３０３ｈを有する。
【００６０】
固有情報ＤＢ３０３ｆには、予め登録された固有情報が格納されている。固有情報判定部３０３ｇは、固有情報判定結果を生成する。なお、この判定は、受信した固有情報及び固有情報ＤＢ３０３ｆに予め格納された固有情報に基づき実行される。第１固有情報判定結果送信部３０３ｈは、固有情報判定結果を車載装置２ａに送信する。
【００６１】
次に、図６を参照して、第２実施形態の駐車承認システムの動作を説明する。
【００６２】
まず、車載装置２ａにて、第１固有情報受付部２０３ｄは、固有情報の入力を受付け（ステップＳ２０１）、第１固有情報送信部２０３ｅは、受け付けた固有情報を駐車承認サーバ３ａに送信する（ステップＳ２０２）。
【００６３】
次に、駐車承認サーバ３ａにて、固有情報判定部３０３ｇは、固有情報ＤＢ３０３ｆから予め登録された固有情報を読み出し（ステップＳ２０３）、受信した固有情報を判定する（ステップＳ２０４）。この固有情報の判定により、例えば、車載装置、運転者、車両の情報の特定を行う。そして、第１固有情報判定結果送信部３０３ｈは、車載装置２ａに固有情報判定結果を送信する（ステップＳ２０５）。
【００６４】
以下、ステップＳ２０６〜ステップＳ２１１は、第１実施形態のステップＳ１０１〜ステップＳ１０６と同様の処理が実行される。そして、車載装置２ａにて、第１駐車承認情報表示部２０３ｃは、駐車承認情報を表示部に表示させ、第１固有情報判定結果表示部２０３ｆは、固有情報判定結果を表示部に表示させる（ステップＳ２１２）。
【００６５】
上記のように第２実施形態に係る駐車承認システムによれば、第１実施形態と同様の効果を得ることができる。
【００６６】
さらに、車載装置２ａより、例えば、運転者や車両等の固有情報を送信することができるので、予め登録された固有情報に基づき、受信した固有情報の判定をすることができる。つまり、駐車違反を犯した者、或いは駐車違反に該当する車両を確実に特定することができる。
【００６７】
［第３実施形態］
図７〜図９を参照して本発明の第３実施形態に係る駐車承認システムを説明する。なお、第１実施形態と同一の構成については、同一符号を付し、その説明を省略する。
【００６８】
先ず、図７を参照して、第３実施形態の駐車承認システムの概略構成を説明する。図７に示すように、第３実施形態の駐車承認システムは、第１実施形態の構成に駐車監視端末５を加えた構成となっている。駐車監視端末５は、駐車違反車両を取り締まる端末であって、例えば、監視員（或いは、警察官）が携帯可能なパーソナルコンピュータ、ＰＤＡ（Personal Digital Assistants）、ＰＨＳ（Personal Handyphone System）等である。また、駐車監視端末５に対応して、車載装置２ｂは、第１実施形態と異なる構成を有している。
【００６９】
駐車監視端末５は、車載装置２と略同様の構成（図２参照）を有している。そして、駐車監視端末５は、図２の構成に、さらに印刷部を備えている。駐車監視端末５は、例えば、Bluetooth(登録商標)、赤外線通信、可視光通信等により、車載装置２ｂと直接的に情報の送受信が可能である。
【００７０】
次に、図８を参照して、第３実施形態の駐車承認システムにおける駐車監視端末５及び車載装置２ｂの機能を説明する。図８は、第３実施形態の駐車承認システムの機能ブロック図である。
【００７１】
図８に示すように、駐車承認サーバ３は、第１実施形態と同様の構成を有する。
【００７２】
駐車監視端末５は、第１要求情報送信部５０３ａ、第２駐車承認情報表示部５０３ｂ、駐車承認情報印刷部５０３ｃを備える。
【００７３】
第１要求情報送信部５０３ａは、入力部より受け付けた情報に応じて駐車承認情報を要求する第１要求情報を車載装置２ｂに送信する。第２駐車承認情報表示部５０３ｂは、車載装置２ｂから受信した駐車承認情報を表示部に表示する。駐車承認情報印刷部５０３ｃは、入力部より受け付けた入力情報に応じて駐車承認情報を印刷部により印刷する。
【００７４】
車載装置２ｂは、第１実施形態の機能構成に加えて、さらに、第２駐車承認情報送信部２０３ｇを備えている。第２駐車承認情報送信部２０３ｇは、駐車監視端末５から送信された第１要求情報に基づき駐車承認情報を駐車監視端末５に送信する。
【００７５】
次に、図９を参照して、第３実施形態の駐車承認システムの動作を説明する。図９は、第３実施形態の駐車承認システムの動作を示すフローチャートである。
【００７６】
図９に示すように、第３実施形態の駐車承認システムによる動作において、ステップＳ３０１〜ステップＳ３０７は、第１実施形態のステップＳ１０１〜ステップＳ１０７と同様の処理を実行する。
【００７７】
ステップＳ３０７に引き続き、駐車監視端末５にて、第１要求情報送信部５０３ａは、入力を受付ける（ステップＳ３０８）。例えば、駐車監視端末５の表示部に、「駐車承認の確認を行いますか？」等の文字を表示し、入力部からの入力を受け付ける。つづいて、入力を受け付けると、第１要求情報送信部５０３ａは、駐車承認情報を要求する第１要求情報を車載装置２ｂに送信する（ステップＳ３０９）。
【００７８】
次に、車載装置２ｂにて、第２駐車承認情報送信部２０３ｇは、第１要求情報に伴い駐車承認情報を駐車監視端末５に送信する（ステップＳ３１０）。
【００７９】
次に、駐車監視端末５にて、第２駐車承認情報表示部５０３ｂは、表示部に駐車承認情報を表示する（ステップＳ３１１）。例えば、表示部には、車両１の固有情報（車両登録Ｎｏ，車両１の所有者の個人情報）、駐車違反であるか否かの情報が表示される。つづいて、駐車承認情報印刷部５０３ｃは、入力情報を受け付け（ステップＳ３１２）、その入力情報に応じて駐車承認情報を印刷部にて印刷する（ステップＳ３１３）。
【００８０】
上記のように第３実施形態に係る駐車承認システムによれば、第１実施形態と同様の効果を得ることができる。
【００８１】
さらに、駐車監視端末５は、車載装置２ｂより、駐車承認情報を取得可能である。よって、車両１の近辺において、駐車を取り締まる監視員は、車両１の駐車を監視し、迅速な駐車の取り締まりが可能となる。
【００８２】
なお、駐車監視端末５は、携帯型としたが、据え置き型としてもよい。
【００８３】
また、上記第３実施形態において、車載装置２ｂは第１駐車承認情報表示部２０３ｃを備えているが、この構成に限定されるものではなく、第１駐車承認情報表示部２０３ｃを省略した構成としてもよい。この場合、図９のフローチャートにおいては、ステップＳ３０７を省略した処理となる。
【００８４】
また、上記第３実施形態において、駐車監視端末５は駐車承認情報印刷部５０３ｃを備えているが、この構成に限定されるものではなく、駐車承認情報印刷部５０３ｃを省略した構成としてもよい。この場合、図９のフローチャートにおいては、ステップＳ３１２、Ｓ３１３を省略した処理となる。
【００８５】
［第４実施形態］
図１０及び図１１を参照して本発明の第４実施形態に係る駐車承認システムを説明する。なお、第１乃至第３実施形態と同一の構成については、同一符号を付し、その説明を省略する。
【００８６】
第４実施形態の駐車承認システムは、第３実施形態と同様に、車載装置２ｃ、駐車承認サーバ３ａ、駐車監視端末５ａを用いる。なお、駐車承認サーバ３ａは、第２実施形態と同様の機能構成を有する。
【００８７】
車載装置２ｃは、図１０に示すように、第１乃至第３実施形態の構成に加え、さらに、第２固有情報判定結果送信部２０３ｈを有する。
【００８８】
第２固有情報判定結果送信部２０３ｈは、駐車監視端末５ａから送信された固有情報判定結果を要求する第２要求情報に基づき固有情報判定結果を駐車監視端末５ａに送信する。
【００８９】
駐車監視端末５ａは、図１０に示すように、第３実施形態の構成に加え、さらに、第２要求情報送信部５０３ｄ、第２固有情報判定結果表示部５０３ｅ、固有情報判定結果印刷部５０３ｆを有する。第２要求情報送信部５０３ｄは、固有情報判定結果を要求する第２要求情報を車載装置２ｃに送信する。第２固有情報判定結果表示部５０３ｅは、固有情報判定結果を表示する。固有情報判定結果印刷部５０３ｆは、固有情報判定結果を印刷する。
【００９０】
次に、図１１を参照して、第４実施形態の駐車承認システムの動作を説明する。
【００９１】
ステップＳ４０１〜ステップＳ４１２は、第２実施形態のステップＳ２０１〜ステップＳ２１２と同様の処理が実行される。
【００９２】
そして、駐車監視端末５ａにて、第１及び第２要求情報送信部５０３ａ，５０３ｄは、入力部からの入力を受付け（ステップＳ４１３）、その入力に応じて、駐車承認情報を要求する第１要求情報及び固有情報判定結果を要求する第２要求情報を車載装置２ｃに送信する（ステップＳ４１４）。
【００９３】
次に、車載装置２ｃにて、第２駐車承認情報送信部２０３ｇは、第１要求情報及び第２要求情報に応じて、駐車承認情報を駐車監視端末５ａに送信し、第２固有情報判定結果送信部２０３ｈは、固有情報判定結果を駐車監視端末５ａに送信する（ステップＳ４１５）。
【００９４】
次に、駐車監視端末５ａにて、第２駐車承認情報表示部５０３ｂは、駐車承認情報を表示部に表示させ、第２固有情報判定結果表示部５０３ｅは、固有情報判定結果を表示させる（ステップＳ４１６）。続いて、駐車承認情報印刷部５０３ｃ及び固有情報判定結果印刷部５０３ｆは、情報の入力を受け付け（ステップＳ４１７）、その入力に応じて、駐車承認情報、及び固有情報判定結果を印刷する（ステップＳ４１８）。
【００９５】
上記のように第４実施形態に係る駐車承認システムによれば、第３実施形態と同様の効果を得ることができる。
【００９６】
さらに、車載装置２ｃより、例えば、運転者や車両等の固有情報を送信することができるので、予め登録された固有情報に基づき、受信した固有情報の判定をすることができる。つまり、駐車違反を犯した者、或いは駐車違反に該当する車両を確実に特定することができる。
【００９７】
なお、上記第４実施形態において、車載装置２ｃは第１駐車承認情報表示部２０３ｃ及び第１固有情報判定結果表示部２０３ｆを備えているが、この構成に限定されるものではなく、第１駐車承認情報表示部２０３ｃ及び第１固有情報判定結果表示部２０３ｆを省略した構成としてもよい。この場合、図１１のフローチャートにおいては、ステップＳ４１２を省略した処理となる。
【００９８】
また、上記第４実施形態において、駐車監視端末５ａは駐車承認情報印刷部５０３ｃ及び固有情報判定結果印刷部５０３ｆを備えているが、この構成に限定されるものではなく、駐車承認情報印刷部５０３ｃ及び固有情報判定結果印刷部５０３ｆを省略した構成としてもよい。この場合、図１１のフローチャートにおいては、ステップＳ４１７、Ｓ４１８を省略した処理となる。
【００９９】
［第５実施形態］
図１２及び図１３を参照して本発明の第５実施形態に係る駐車承認システムを説明する。なお、第１〜第３実施形態と同一の構成については、同一符号を付し、その説明を省略する。
【０１００】
第５実施形態の駐車承認システムは、第３及び第４実施形態と同様に、車載装置２ｄ、駐車承認サーバ３ｂ、駐車監視端末５ｂを用いる。ただし、車載装置２ｄ、駐車承認サーバ３ｂ、駐車監視端末５ｂの有する機能は、第３及び第４実施形態と異なる。
【０１０１】
車載装置２ｄは、第２実施形態に係る車載装置２ａから第１固有情報判定結果送信部２０３ｆを省略した構成を有する。
【０１０２】
駐車承認サーバ３ｂは、上述した地図ＤＢ３０３ａ、区画規制ＤＢ３０３ｂ、時間規制ＤＢ３０３ｃ、第１駐車承認判定部３０３ｄ、第１駐車承認情報送信部３０３ｅを有する。さらに、駐車承認サーバ３ｂは、駐車関連情報データベース（以下、駐車関連情報ＤＢ）３０３ｉ、第１駐車関連情報記憶部３０３ｊ、第１駐車関連情報検索部３０３ｋを有する。
【０１０３】
駐車関連情報ＤＢ３０３ｉには、固有情報を駐車承認情報に関連づけた駐車関連情報が格納されている。第１駐車関連情報記憶部３０３ｊは、固有情報を駐車承認情報に関連づけて駐車関連情報として駐車関連情報ＤＢ３０３ｉに格納する。第１駐車関連情報検索部３０３ｋは、駐車監視端末５ｂより送信された駐車承認情報を要求する第３要求情報に含まれる固有情報に基づき駐車関連情報を検索して駐車承認情報を読み出して駐車監視端末５ｂに送信する。
【０１０４】
駐車監視端末５ｂは、上述した第２駐車承認情報表示部５０３ｂ、駐車承認情報印刷部５０３ｃを有する。さらに、駐車監視端末５ｂは、第３要求情報送信部５０３ｇを有する。
【０１０５】
第３要求情報送信部５０３ｇは、駐車承認情報の送信を要求する第３要求情報を駐車承認サーバ３ｂに送信する。
【０１０６】
次に、図１３を参照して、第５実施形態の駐車承認システムの動作を説明する。
【０１０７】
まず、車載装置２ｄにて、第１固有情報受付部２０３ｄは、固有情報を受け付け（ステップＳ５０１）、第１固有情報送信部２０３ｅは、その固有情報を駐車承認サーバ３ｂに送信する（ステップＳ５０２）。
【０１０８】
次に、駐車承認サーバ３ｂにて、第１駐車関連情報記憶部３０３ｊは、受信した固有情報を駐車関連情報ＤＢ３０３ｉに格納する（ステップＳ５０３）。
【０１０９】
一方、車載装置２ｄにて、車両位置特定部２０３ａは、車両１の位置を特定し、車両位置特定情報を生成する（ステップＳ５０４）。つづいて、第１駐車申請情報送信部２０３ｂは、駐車申請情報の入力を受け付け（ステップＳ５０５）、その受け付けた情報に基づき駐車位置特定情報と共に駐車申請情報を駐車承認サーバ３ｂに送信する（ステップＳ５０６）。なお、駐車申請情報は、駐車する期間（時間、日にち）を示す駐車期間情報を含むものであってもよい。
【０１１０】
次に、駐車承認サーバ３ｂにて、第１駐車承認判定部３０３ｄは、地図ＤＢ３０３ａ、区画規制ＤＢ３０３ｂ、時間規制ＤＢ３０３ｃから地図情報、区画規制情報、時間規制情報を読み出し（ステップＳ５０７）、駐車を承認するか否かの判定を行い、駐車承認情報を生成する（ステップＳ５０８）。続いて、第１駐車承認情報送信部３０３ｅは、駐車承認情報を車載装置２ｄに送信する（ステップＳ５０９）。そして、第１駐車関連情報記憶部３０３ｊは、固有情報に駐車承認情報を関連づけて駐車関連情報として駐車関連情報ＤＢ３０３ｉに格納する（ステップＳ５１０）。
【０１１１】
一方、車載装置２ｄにて、第１駐車承認情報表示部２０３ｃは、表示部２０７に駐車承認情報を表示する（ステップＳ５１１）。
【０１１２】
一方、駐車監視端末５ｂにて、第３要求情報送信部５０３ｇは、入力部から固有情報を受付け（ステップＳ５１２）、その入力情報に基づき、第３要求情報を駐車承認サーバ３ｂに送信する（ステップＳ５１３）。
【０１１３】
そして、駐車承認サーバ３ｂにて、第１駐車関連情報検索部３０３ｋは、第３要求情報に含まれる固有情報に基づき駐車関連情報を検索し（ステップＳ５１４）、その駐車関連情報に含まれる駐車承認情報を駐車監視端末５ｂに送信する（ステップＳ５１５）。
【０１１４】
次に、駐車監視端末５ｂにて、第２駐車承認情報表示部５０３ｂは、駐車承認情報を表示する（ステップＳ５１６）。つづいて、駐車承認情報印刷部５０３ｃは、入力部からの入力を受付け（ステップＳ５１７）、その入力に応じて駐車承認情報を印刷する（ステップＳ５１８）。
【０１１５】
上記のように第５実施形態に係る駐車承認システムによれば、第３実施形態と同様の効果を得ることができる。
【０１１６】
また、固有情報、駐車承認情報が駐車関連情報ＤＢ３０３ｉに格納されるので、情報を駐車承認サーバ３ｂにて一括管理することが可能であり、情報管理の効率化が可能である。
【０１１７】
なお、上記第５実施形態において、車載装置２ｄは第１駐車承認情報表示部２０３ｃを備えている。また、駐車承認サーバ３ｂは第１駐車承認情報送信部３０３ｅを備えている。しかしながら、この構成に限定されるものではなく、第１駐車承認情報表示部２０３ｃ及び第１駐車承認情報送信部３０３ｅを省略した構成としてもよい。この場合、図１３のフローチャートにおいては、ステップＳ５０９、ステップＳ５１１を省略した処理となる。
【０１１８】
また、上記第５実施形態において、駐車監視端末５ｂは駐車承認情報印刷部５０３ｃ及び固有情報判定結果印刷部５０３ｆを備えているが、この構成に限定されるものではなく、駐車承認情報印刷部５０３ｃ及び固有情報判定結果印刷部５０３ｆを省略した構成としてもよい。この場合、図１３のフローチャートにおいては、ステップＳ５１７、Ｓ５１８を省略した処理となる。
【０１１９】
［第６実施形態］
図１４〜図１６を参照して本発明の第６実施形態に係る駐車承認システムを説明する。なお、第１〜第５実施形態と同一の構成については、同一符号を付し、その説明を省略する。
【０１２０】
第６実施形態の駐車承認システムは、第３〜第５実施形態と同様に、車載装置２ｄ、駐車承認サーバ３ｃ、駐車監視端末５ｃを用いる。ただし、駐車承認サーバ３ｃ、駐車監視端末５ｃの有する機能は、第３〜第５実施形態と異なる。
【０１２１】
駐車承認サーバ３ｃは、上述した駐車承認サーバ３ｂに上述した固有情報ＤＢ３０３ｆ、固有情報判定部３０３ｇを加え、さらに、第２関連情報記憶部３０３ｊ’、第２駐車関連情報検索部３０３ｋ’を備えた構成である。第２駐車関連情報記憶部３０３ｊ’は、固有情報を固有情報判定結果及び駐車承認情報に関連付けて駐車関連情報として記憶することが可能である。また、第２駐車関連情報検索部３０３ｋ’は、固有情報に基づき駐車関連情報を検索し固有情報判定結果及び駐車承認情報を読み出して駐車監視端末５ｃに送信することが可能である。
【０１２２】
駐車監視端末５ｃは、上述した第２駐車承認情報表示部５０３ｂ、駐車承認情報印刷部５０３ｃ、第２固有情報判定結果表示部５０３ｅ、固有情報判定結果印刷部５０３ｆ、第３要求情報送信部５０３ｇを有する。さらに、駐車監視端末５ｃは、第４要求情報送信部５０３ｈを有する。
【０１２３】
第４要求情報送信部５０３ｈは、受け付けた固有情報を含む固有情報判定結果を要求する第４要求情報を駐車承認サーバ３ｃに送信する。
【０１２４】
次に、図１５及び図１６を参照して、第６実施形態の駐車承認システムの動作を説明する。
【０１２５】
まず、車載装置２ｄにて、第１固有情報受付部２０３ｄは、固有情報を受け付け（ステップＳ６０１）、第１固有情報送信部２０３ｅは、その固有情報を駐車承認サーバ３ｃに送信する（ステップＳ６０２）。
【０１２６】
次に、駐車承認サーバ３ｃにて、固有情報判定部３０３ｇは、固有情報ＤＢ３０３ｆより予め登録された固有情報を読み出し（ステップＳ６０３）、受信した固有情報を判定する（ステップＳ６０４）。続いて、第２駐車関連情報記憶部３０３ｊ’は、固有情報を固有情報判定結果に関連づけて駐車関連情報として駐車関連情報ＤＢ３０３ｉに格納する（ステップＳ６０５）。
【０１２７】
つづくステップＳ６０６〜ステップＳ６１３は、第５実施形態のステップＳ５０４〜ステップＳ５１１の処理と同様なので、その説明を省略する。
【０１２８】
次に、駐車監視端末５ｃにて、第３要求情報送信部５０３ｇ及び第４要求情報送信部５０３ｈは、入力部から固有情報を受付け（ステップＳ６１４）、その入力情報に基づき、第３要求情報及び第４要求情報を車載装置２ｄに送信する（ステップＳ６１５）。
【０１２９】
次に、駐車承認サーバ３ｃにて、第２駐車関連情報検索部３０３ｋ’は、受信した第３要求情報、第４要求情報、及びそれらに含まれる固有情報に基づき駐車関連情報ＤＢ３０３ｉを検索する（ステップＳ６１６）。つづいて、第２駐車関連情報検索部３０３ｋ’は、検索した駐車関連情報に含まれる駐車承認情報及び固有情報判定結果を駐車監視端末５ｃに送信する（ステップＳ６１７）。
【０１３０】
次に、駐車監視端末５ｃにて、第２駐車承認情報表示部５０３ｂは、駐車承認情報を表示し、第２固有情報判定結果表示部５０３ｅは、固有情報判定結果を表示する（ステップＳ６１８）。つづいて、駐車承認情報印刷部５０３ｃ、及び固有情報判定結果印刷部５０３ｆは、入力部からの入力を受付け（ステップＳ６１９）、その入力に応じて駐車承認情報、固有情報判定結果を印刷する（ステップＳ６２０）。
【０１３１】
上記のように第６実施形態に係る駐車承認システムによれば、第５実施形態と同様の効果を得ることができる。
【０１３２】
なお、上記第６実施形態において、車載装置２ｄは第１駐車承認情報表示部２０３ｃを備えている。また、駐車承認サーバ３ｃは第１駐車承認情報送信部３０３ｅを備えている。しかしながら、この構成に限定されるものではなく、第１駐車承認情報表示部２０３ｃ及び第１駐車承認情報送信部３０３ｅを省略した構成としてもよい。この場合、図１５のフローチャートにおいては、ステップＳ６１１、ステップＳ６１３を省略した処理となる。
【０１３３】
また、上記第６実施形態において、駐車監視端末５ｃは駐車承認情報印刷部５０３ｃ及び固有情報判定結果印刷部５０３ｆを備えているが、この構成に限定されるものではなく、駐車承認情報印刷部５０３ｃ及び固有情報判定結果印刷部５０３ｆを省略した構成としてもよい。この場合、図１６のフローチャートにおいては、ステップＳ６１９、Ｓ６２０を省略した処理となる。
【０１３４】
［第７実施形態］
図１７〜図１９を参照して本発明の第７実施形態に係る駐車承認システムを説明する。なお、第１〜第３実施形態と同一の構成については、同一符号を付し、その説明を省略する。
【０１３５】
第７実施形態の駐車承認システムは、第３〜第６実施形態と同様に、車載装置２ｅ、駐車承認サーバ３ｃ、駐車監視端末５ｄを用いる。ただし、車載装置２ｅ、駐車監視端末５ｄの有する機能は、第１〜第６実施形態と異なる。
【０１３６】
車載装置２ｅは、図１７に示すように、車載装置２ｄに第２固有情報送信部２０３ｉを加えた構成である。第２固有情報送信部２０３ｉは、固有情報を要求する第５要求情報に基づき固有情報を駐車監視端末５ｄに送信する。
【０１３７】
駐車監視端末５ｄは、上述した駐車監視端末５ｃに第５要求情報送信部５０３ｉを加えた構成である。第５要求情報送信部５０３ｉは、固有情報を要求する第５要求情報を車載装置２ｅに送信する。
【０１３８】
次に、図１８及び図１９を参照して、第７実施形態の駐車承認システムの動作を説明する。
【０１３９】
ステップＳ７０１〜ステップＳ７１３は、第６実施形態のステップＳ６０１〜ステップＳ６１３の処理と同様であるので、その説明を省略する。
【０１４０】
ステップＳ７１３に続いて、駐車監視端末５ｄにて、第５要求情報送信部５０３ｉは、入力部より入力を受け付ける（ステップＳ７１４）。つづいて、第５要求情報送信部５０３ｉは、受け付けた入力情報に応じて第５要求情報を車載装置２ｅに送信する（ステップＳ７１５）。
【０１４１】
次に、車載装置２ｅにて、第２固有情報送信部２０３ｉは、第５要求情報に基づき固有情報を駐車監視端末５ｄに送信する（ステップＳ７１６）。
【０１４２】
次に、駐車監視端末５ｄにて、第３要求情報送信部５０３ｇ及び第４要求情報送信部５０３ｈは、受信した固有情報を含む第３要求情報及び第４要求情報を駐車承認サーバ３ｃに送信する（ステップＳ７１７）。
【０１４３】
続くステップＳ７１８〜ステップＳ７２２は、第６実施形態のステップ６１６〜ステップＳ６２０と同様の処理であるので、その説明を省略する。
【０１４４】
上記のように第７実施形態に係る駐車承認システムによれば、第５及び第６実施形態と同様の効果を得ることができる。
【０１４５】
なお、上記第７実施形態において、車載装置２ｅは第１駐車承認情報表示部２０３ｃを備えている。また、駐車承認サーバ３ｃは第１駐車承認情報送信部３０３ｅを備えている。しかしながら、この構成に限定されるものではなく、第１駐車承認情報表示部２０３ｃ及び第１駐車承認情報送信部３０３ｅを省略した構成としてもよい。この場合、図１８のフローチャートにおいては、ステップＳ７１１、ステップＳ７１３を省略した処理となる。
【０１４６】
また、上記第７実施形態において、駐車監視端末５ｄは駐車承認情報印刷部５０３ｃ及び固有情報判定結果印刷部５０３ｆを備えているが、この構成に限定されるものではなく、駐車承認情報印刷部５０３ｃ及び固有情報判定結果印刷部５０３ｆを省略した構成としてもよい。この場合、図１９のフローチャートにおいては、ステップＳ７２１、Ｓ７２２を省略した処理となる。
【０１４７】
［第８実施形態］
図２０〜図２２を参照して本発明の第８実施形態に係る駐車承認システムを説明する。なお、第１〜第７実施形態と同一の構成については、同一符号を付し、その説明を省略する。
【０１４８】
先ず、図２０を参照して、第８実施形態の駐車承認システムの概略構成を説明する。図２０に示すように、第８実施形態の駐車承認システムは、第１実施形態の構成に駐車申請端末６を加えた構成となっている。すなわち、車載装置２ｆ、駐車承認サーバ３、駐車申請端末６により構成されている。駐車申請端末６は、例えば、運転者又は同乗者等により操作され、車載装置２ｆより離れて駐車申請を行うことができるものであり、例えば、携帯電話、ＰＨＳ（Personal Handyphone System）、ＰＤＡ（Personal Digital Assistants）等である。
【０１４９】
駐車申請端末６は、車載装置２と略同様の構成を有している。駐車申請端末６は、例えば、Bluetooth(登録商標)、赤外線通信などにより、車載装置２ｆと直接的に情報の送受信が可能である。
【０１５０】
次に、図２１を参照して、第８実施形態の駐車承認システム及び駐車申請端末６の機能を説明する。
【０１５１】
図２１に示すように、車載装置２ｆは、上述した車両位置特定部２０３ａ、第１駐車承認情報表示部２０３ｃ、第１固有情報受付部２０３ｄを備える。さらに、車載装置２ｆは、第１固有情報確認部２０３ｊ、第２駐車申請情報送信部２０３ｋを備える。
【０１５２】
第１固有情報確認部２０３ｊは、受け付けた固有情報の整合を確認する。第２駐車申請情報送信部２０３ｋは、第１固有情報確認部２０３ｊにて受け付けた固有情報が整合すると判断されると、駐車申請情報を駐車承認サーバ３に送信する。例えば、駐車申請端末６から送信する固有情報とは、予め設定された車載装置２ｆのＩＤナンバー、車両ナンバー等である。
【０１５３】
駐車申請端末６は、第２駐車申請情報受付部６０３ａ、第３駐車申請情報送信部６０３ｂを有する。第２駐車申請情報受付部６０３ａは、駐車申請情報及び固有情報の入力を駐車申請端末６が有する入力部から受け付ける。第３駐車申請情報送信部６０３ｂは、受け付けた駐車申請情報及び固有情報を車載装置２ｆに送信する。
【０１５４】
次に、図２２を参照して、第８実施形態の駐車承認システムの動作を説明する。図２２は、第８実施形態の駐車承認システムの動作を示すフローチャートである。
【０１５５】
図２２に示すように、第８実施形態の駐車承認システムによる駐車承認処理は、
先ず、駐車申請端末６にて、第２駐車申請情報受付部６０３ａは、固有情報の入力を駐車申請端末６が有する入力部から受け付ける（ステップＳ８０１）。つづいて、第２駐車申請情報受付部６０３ａは、駐車申請情報の入力を駐車申請端末６が有する入力部から受け付ける（ステップＳ８０２）。そして、第３駐車申請情報送信部６０３ｂは、受け付けた固有情報及び駐車申請情報を車載装置２ｆに送信する（ステップＳ８０３）。
【０１５６】
一方、車載装置２ｆにて、第１固有情報受付部２０３ｄは、固有情報の入力を受け付ける（ステップＳ８０４）。つづいて、第１固有情報確認部２０３ｊは、受け付けた固有情報と、受信した固有情報とが整合するか否かを確認する（ステップＳ８０５）。次に、車両位置特定部２０３ａは、車両１の位置を特定し、車両位置特定情報を生成する（ステップＳ８０６）。続いて、受け付けた固有情報と、受信した固有情報との整合の確認に応じて、第２駐車申請情報送信部２０３ｋは、車両位置特定情報及び駐車申請情報を駐車承認サーバ３に送信する（ステップＳ８０７）。
【０１５７】
以下のステップＳ８０８〜ステップＳ８１１は、第１実施形態のステップＳ１０４〜ステップＳ１０７と同様なので、その説明を省略する。
【０１５８】
上記のように第８実施形態に係る駐車承認システムによれば、第１実施形態と同様の効果を得ることができる。
【０１５９】
さらに、第８実施形態に係る駐車承認システムによれば、駐車申請端末６から車載装置２ｆを介して、駐車承認サーバ３に駐車申請情報を送信可能である。したがって、運転者等は、車両１から離れた位置で駐車申請情報を送信することが可能となる。
【０１６０】
［第９実施形態］
図２３及び図２４を参照して本発明の第９実施形態に係る駐車承認システムを説明する。なお、第１〜第８実施形態と同一の構成については、同一符号を付し、その説明を省略する。
【０１６１】
第９実施形態の駐車承認システムは、第８実施形態と同様に、車載装置２ｇ、駐車承認サーバ３ｄ、駐車申請端末６ａを用いる。
【０１６２】
車載装置２ｇは、図２３に示すように、上述した車両位置特定部２０３ａ、第１駐車承認情報表示部２０３ｃ、第１固有情報受付部２０３ｄ、第１固有情報送信部２０３ｅを有する。さらに、車載装置２ｇは、車両位置特定情報送信部２０３ｌを備える。車両位置特定情報送信部２０３ｌは、車両位置特定情報を駐車承認サーバ３ｄに送信する。
【０１６３】
駐車承認サーバ３ｄは、図２３に示すように、上述した地図ＤＢ３０３ａ、区画規制ＤＢ３０３ｂ、時間規制ＤＢ３０３ｃ、第１駐車承認情報送信部３０３ｅを備える。さらに、駐車承認サーバ３ｃは、第２固有情報確認部３０３ｌ、第２駐車承認判定部３０３ｍを備える。
【０１６４】
第２固有情報確認部３０３ｌは、受け付けた固有情報が整合するか否かを確認する。第２駐車承認判定部３０３ｍは、第２固有情報確認部３０３ｌにて受信した２つの固有情報が整合すると確認されると、駐車を承認するか否かを示す駐車承認情報を生成する。
【０１６５】
駐車申請端末６ａは、上述した第２駐車申請情報受付部６０３ａ、第４駐車申請情報送信部６０３ｃを有する。第４駐車申請情報送信部６０３ｃは、固有情報と共に駐車申請情報を駐車承認サーバ３ｄに送信する。
【０１６６】
次に、図２４を参照して、第９実施形態の駐車承認システムの動作を説明する。図２４は、第９実施形態の駐車承認システムの動作を示すフローチャートである。
【０１６７】
図２４に示すように、先ず、駐車申請端末６ａにて、第２駐車申請情報受付部６０３ａは、固有情報の入力を受け付ける（ステップＳ９０１）。つづいて、第２駐車申請情報受付部６０３ａは、駐車申請情報の入力を受け付ける（ステップＳ９０２）。そして、第４駐車申請情報送信部６０３ｃは、固有情報と共に駐車申請情報を駐車承認サーバ３ｄに送信する（ステップＳ９０３）。なお、駐車申請情報は、車両１を駐車する期間（時間、日にち）を示す駐車期間情報を含むものであってもよい。
【０１６８】
一方、車載装置２ｇにて、第１固有情報受付部２０３ｄは、固有情報の入力を受け付ける（ステップＳ９０４）。つづいて、第１固有情報送信部２０３ｅは、受け付けた固有情報を駐車承認サーバ３ｄに送信する（ステップＳ９０５）。
【０１６９】
次に、駐車承認サーバ３ｄにて、第２固有情報確認部３０３ｌは、受信した２つの固有情報が一致するか否かを確認する（ステップＳ９０６）。
【０１７０】
一方、車載装置２ｇにて、車両位置特定部２０３ａは、車両１の位置を特定し（ステップＳ９０７）、車両位置特定情報送信部２０３ｌは、車両位置特定情報を駐車承認サーバ３ｄに送信する（ステップＳ９０８）。
【０１７１】
次に、駐車承認サーバ３ｄにて、第２駐車承認判定部３０３ｍは、第２固有情報確認部３０３ｌが受信した２つの固有情報が一致することを確認すると、地図情報、区間規制情報、時間規制情報を読み出す（ステップＳ９０９）。つづいて、第２駐車承認情報判定部３０３ｍは、車両位置特定情報、地図情報、区間規制情報、時間規制情報に基づき駐車承認情報を生成する（ステップＳ９１０）。
【０１７２】
以下のステップＳ９１１，Ｓ９１２は、第１実施形態のステップＳ１０６，Ｓ１０７と同様なので、その説明を省略する。
【０１７３】
上記のように第９実施形態に係る駐車承認システムによれば、第８実施形態と同様の効果を得ることができる。
【０１７４】
以上第１〜第９実施形態を説明したが、本発明に係る駐車承認システムは、上述した実施形態に限られるものではない。例えば、第８及び第９実施形態に、第２実施形態の構成を用いて、固有情報判定結果を生成させ、固有情報判定結果を表示可能な構成としてもよい。
【０１７５】
また、図２５に示すように、車載装置２’、駐車承認サーバ３’、駐車監視端末５’、駐車申請端末６’による駐車承認システムを構成することも可能である。なお、車載装置２’、駐車承認サーバ３’、駐車監視端末５’、駐車申請端末６’は、第１〜第９実施形態の構成による特徴を有するものである。例えば、車載装置２’は、上記構成を踏まえて、受け付けた固有情報の整合の確認に応じて固有情報及び車両位置特定情報と共に駐車申請情報を駐車承認サーバに送信する第５駐車申請情報送信部を備える構成であってもよい。
【０１７６】
また、上記実施形態において車両１の位置をＤＳＲＣ通信装置４ａにより特定する構成としている。しかしながら、本発明の駐車承認システムは、上記実施形態に限られるものではなく、車両１の位置をＧＰＳにより特定する構成としてもよい。また、可視光通信を可能とする可視光通信装置を通路の路肩に複数配置し、車両１の位置を可視光通信により特定する構成としてもよい。
【図面の簡単な説明】
【０１７７】
【図１】本発明の第１実施形態に係る駐車承認システムの構成概略図である。
【図２】本発明の第１実施形態に係る駐車承認システムの車載装置の概略構成図である。
【図３】本発明の第１実施形態に係る駐車承認システムの機能ブロック図である。
【図４】本発明の第１実施形態に係る駐車承認システムの動作を示すフローチャートである。
【図５】本発明の第２実施形態に係る駐車承認システムの機能ブロック図である。
【図６】本発明の第２実施形態に係る駐車承認システムの動作を示すフローチャートである。
【図７】本発明の第３実施形態に係る駐車承認システムの構成概略図である。
【図８】本発明の第３実施形態に係る駐車承認システムの機能ブロック図である。
【図９】本発明の第３実施形態に係る駐車承認システムの動作を示すフローチャートである。
【図１０】本発明の第４実施形態に係る駐車承認システムの機能ブロック図である。
【図１１】本発明の第４実施形態に係る駐車承認システムの動作を示すフローチャートである。
【図１２】本発明の第５実施形態に係る駐車承認システムの機能ブロック図である。
【図１３】本発明の第５実施形態に係る駐車承認システムの動作を示すフローチャートである。
【図１４】本発明の第６実施形態に係る駐車承認システムの機能ブロック図である。
【図１５】本発明の第６実施形態に係る駐車承認システムの動作を示すフローチャートである。
【図１６】本発明の第６実施形態に係る駐車承認システムの動作を示すフローチャートである。
【図１７】本発明の第７実施形態に係る駐車承認システムの機能ブロック図である。
【図１８】本発明の第７実施形態に係る駐車承認システムの動作を示すフローチャートである。
【図１９】本発明の第７実施形態に係る駐車承認システムの動作を示すフローチャートである。
【図２０】本発明の第８実施形態に係る駐車承認システムの構成概略図である。
【図２１】本発明の第８実施形態に係る駐車承認システムの機能ブロック図である。
【図２２】本発明の第８実施形態に係る駐車承認システムの動作を示すフローチャートである。
【図２３】本発明の第９実施形態に係る駐車承認システムの機能ブロック図である。
【図２４】本発明の第９実施形態に係る駐車承認システムの動作を示すフローチャートである。
【図２５】本発明の駐車承認システムの変形例の構成概略図である。
【符号の説明】
【０１７８】
１…車両、２，２ｂ，２ｃ，２ｄ，２ｅ，２ｆ，２ｇ，２’…車載装置、２０１…ＣＰＵ、２０２…バス、２０３…記憶部、２０４…入力部、２０５…読み取り部、２０６…通信部、２０７…表示部、２０８…Ｉ／Ｆ、３，３ａ，３ｂ，３ｃ，３ｄ，３’…駐車承認サーバ、４ａ…ＤＳＲＣ通信装置、４ｂ…中継器、４ｃ…通信ネットワーク、５，５ａ，５ｂ，５ｃ，５ｄ，５’…駐車監視端末、６，６ａ…駐車申請端末。
【図１】
2008070989.tif 000003
【図２】
2008070989.tif 000004
【図３】
2008070989.tif 000005
【図４】
2008070989.tif 000006
【図５】
2008070989.tif 000007
【図６】
2008070989.tif 000008
【図７】
2008070989.tif 000009
【図８】
2008070989.tif 000010
【図９】
2008070989.tif 000011
【図１０】
2008070989.tif 000012
【図１１】
2008070989.tif 000013
【図１２】
2008070989.tif 000014
【図１３】
2008070989.tif 000015
【図１４】
2008070989.tif 000016
【図１５】
2008070989.tif 000017
【図１６】
2008070989.tif 000018
【図１７】
2008070989.tif 000019
【図１８】
2008070989.tif 000020
【図１９】
2008070989.tif 000021
【図２０】
2008070989.tif 000022
【図２１】
2008070989.tif 000023
【図２２】
2008070989.tif 000024
【図２３】
2008070989.tif 000025
【図２４】
2008070989.tif 000026
【図２５】
2008070989.tif 000027
【手続補正書】
【提出日】平成18年9月15日(2006.9.15)
【手続補正１】
【補正対象書類名】特許請求の範囲
【補正対象項目名】請求項１０
【補正方法】変更
【補正の内容】
【請求項１０】
車両に搭載された車載装置と、前記車両の駐車を承認する駐車承認サーバに入力情報を送信可能な駐車申請端末と、前記駐車承認サーバとを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部と、
前記車両の駐車を承認するか否かを示す駐車承認情報を前記車両の外部からみえるように表示する第１駐車承認情報表示部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記駐車承認情報を生成する第２駐車承認判定部と、
前記駐車承認情報を前記車載装置に送信する第１駐車承認情報送信部とを備えることを特徴とする駐車承認システム。
【手続補正２】
【補正対象書類名】特許請求の範囲
【補正対象項目名】請求項１４
【補正方法】変更
【補正の内容】
【請求項１４】
車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報を受け付ける第１固有情報受付部と、
前記固有情報を前記駐車承認サーバに送信する第１固有情報送信部と、
前記車両位置特定情報を前記駐車承認サーバに送信する車両位置特定情報送信部と、
前記駐車承認情報を要求する第１要求情報に基づき前記車両の駐車を承認するか否かを示す駐車承認情報を前記駐車監視端末に送信する第２駐車承認情報送信部とを備え、
前記駐車申請端末は、
前記駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記駐車承認情報を生成する第２駐車承認判定部と、
前記駐車承認情報を前記車載装置に送信する第１駐車承認情報送信部とを備え、
前記駐車監視端末は、
前記第１要求情報を前記車載装置に送信する第１要求情報送信部と、
前記駐車承認情報を表示する第２駐車承認情報表示部とを備えることを特徴とする駐車承認システム。
【手続補正３】
【補正対象書類名】特許請求の範囲
【補正対象項目名】請求項１８
【補正方法】変更
【補正の内容】
【請求項１８】
車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記車両の駐車を承認するか否かを示す駐車承認情報を生成する第２駐車承認判定部と、
前記固有情報を前記駐車承認情報に関連づけて駐車関連情報として記憶する第１駐車関連情報記憶部と、
前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、
前記駐車監視端末は、
前記第３要求情報を前記駐車承認サーバに送信する第３要求情報送信部と、
前記駐車承認情報を表示する第２駐車承認情報表示部とを備えることを特徴とする駐車承認システム。
【手続補正４】
【補正対象書類名】特許請求の範囲
【補正対象項目名】請求項１９
【補正方法】変更
【補正の内容】
【請求項１９】
車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、
前記車載装置は、
前記車両の位置を特定する車両位置特定情報を得る車両位置特定部と、
前記車両の情報及び前記車両の運転者の情報の少なくとも一方を特定する固有情報の入力を受け付ける第１固有情報受付部と、
前記固有情報を前記駐車承認サーバに送信する第１固有情報送信部と、
前記車両位置特定情報を前記駐車承認サーバに送信する車両位置特定情報送信部とを備え、
前記駐車申請端末は、
前記車両の駐車を申請する駐車申請情報及び前記固有情報の入力を受け付ける第２駐車申請情報受付部と、
前記駐車申請情報と共に前記固有情報を前記駐車承認サーバに送信する第４駐車申請情報送信部とを備え、
前記駐車承認サーバは、
受け付けた前記固有情報の整合を確認する第２固有情報確認部と、
受け付けた前記固有情報の整合の確認に応じて前記車両の駐車を承認するか否かを示す駐車承認情報を生成する第２駐車承認判定部と、
前記固有情報に基づき当該固有情報の判定結果である固有情報判定結果を生成する固有情報判定部と、
前記固有情報を前記固有情報判定結果及び前記駐車承認情報に関連づけて駐車関連情報として記憶する第２駐車関連情報記憶部と、
前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、
前記駐車監視端末は、
前記第３要求情報を前記駐車承認サーバに送信する第３要求情報送信部と、
前記第４要求情報を前記駐車承認サーバに送信する第４要求情報送信部と、
前記駐車承認情報を表示する第２駐車承認情報表示部と、
前記固有情報判定結果を表示する第２固有情報判定結果表示部とを備えることを特徴とする駐車承認システム。
【手続補正５】
【補正対象書類名】明細書
【補正対象項目名】００１２
【補正方法】変更
【補正の内容】
【００１２】
また、本発明の一態様に係る第６の駐車承認システムは、車両に搭載された車載装置と、前記車両の駐車を承認する駐車承認サーバに入力情報を送信可能な駐車申請端末と、前記駐車承認サーバとを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部と、前記車両の駐車を承認するか否かを示す駐車承認情報を前記車両の外部からみえるように表示する第１駐車承認情報表示部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記駐車承認情報を生成する第２駐車承認判定部と、前記駐車承認情報を前記車載装置に送信する第１駐車承認情報送信部とを備えることを特徴とする。
【手続補正６】
【補正対象書類名】明細書
【補正対象項目名】００１４
【補正方法】変更
【補正の内容】
【００１４】
また、本発明の一態様に係る第８の駐車承認システムは、車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報を受け付ける第１固有情報受付部と、前記固有情報を前記駐車承認サーバに送信する第１固有情報送信部と、前記車両位置特定情報を前記駐車承認サーバに送信する車両位置特定情報送信部と、前記駐車承認情報を要求する第１要求情報に基づき前記車両の駐車を承認するか否かを示す駐車承認情報を前記駐車監視端末に送信する第２駐車承認情報送信部とを備え、前記駐車申請端末は、前記駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記駐車承認情報を生成する第２駐車承認判定部と、前記駐車承認情報を前記車載装置に送信する第１駐車承認情報送信部とを備え、前記駐車監視端末は、前記第１要求情報を前記車載装置に送信する第１要求情報送信部と、前記駐車承認情報を表示する第２駐車承認情報表示部とを備えることを特徴とする。
【手続補正７】
【補正対象書類名】明細書
【補正対象項目名】００１７
【補正方法】変更
【補正の内容】
【００１７】
また、本発明の一態様に係る第１１の駐車承認システムは、車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記車両の駐車を承認するか否かを示す駐車承認情報を生成する第２駐車承認判定部と、前記固有情報を前記駐車承認情報に関連づけて駐車関連情報として記憶する第１駐車関連情報記憶部と、前記駐車承認情報を要求する第３要求情報に含まれる前記固有情報に基づき前記駐車関連情報を検索し前記駐車承認情報を読み出して前記駐車監視端末に送信する第１駐車関連情報検索部とを備え、前記駐車監視端末は、前記第３要求情報を前記駐車承認サーバに送信する第３要求情報送信部と、前記駐車承認情報を表示する第２駐車承認情報表示部とを備えることを特徴とする。
【手続補正８】
【補正対象書類名】明細書
【補正対象項目名】００１８
【補正方法】変更
【補正の内容】
【００１８】
また、本発明の一態様に係る第１２の駐車承認システムは、車両に搭載された車載装置と、前記車両の駐車を承認する駐車承認サーバに入力情報を送信可能な駐車申請端末と、前記駐車承認サーバと、前記車両の駐車の承認を監視する駐車監視端末とを有する駐車承認システムであって、前記車載装置は、前記車両の位置を特定する車両位置特定情報を得る車両位置特定部と、前記車両の情報及び前記車両の運転者の情報の少なくとも一方を特定する固有情報の入力を受け付ける第１固有情報受付部と、前記固有情報を前記駐車承認サーバに送信する第１固有情報送信部と、前記車両位置特定情報を前記駐車承認サーバに送信する車両位置特定情報送信部とを備え、前記駐車申請端末は、前記車両の駐車を申請する駐車申請情報及び前記固有情報の入力を受け付ける第２駐車申請情報受付部と、前記駐車申請情報と共に前記固有情報を前記駐車承認サーバに送信する第４駐車申請情報送信部とを備え、前記駐車承認サーバは、受け付けた前記固有情報の整合を確認する第２固有情報確認部と、受け付けた前記固有情報の整合の確認に応じて前記車両の駐車を承認するか否かを示す駐車承認情報を生成する第２駐車承認判定部と、前記固有情報に基づき当該固有情報の判定結果である固有情報判定結果を生成する固有情報判定部と、前記固有情報を前記固有情報判定結果及び前記駐車承認情報に関連づけて駐車関連情報として記憶する第２駐車関連情報記憶部と、前記駐車承認情報を要求する第３要求情報及び前記固有情報判定結果を要求する第４要求情報に含まれる前記固有情報に基づき前記駐車関連情報を検索し前記固有情報判定結果及び前記駐車承認情報を読み出して前記駐車監視端末に送信する第２駐車関連情報検索部とを備え、前記駐車監視端末は、前記第３要求情報を前記駐車承認サーバに送信する第３要求情報送信部と、前記第４要求情報を前記駐車承認サーバに送信する第４要求情報送信部と、前記駐車承認情報を表示する第２駐車承認情報表示部と、前記固有情報判定結果を表示する第２固有情報判定結果表示部とを備えることを特徴とする。